(57)【要約】【課題】原子の中における電子のラブの軌道と、導線を走る電子のラブの波長はどのように異なるか。原子の中における電子のラブの力と、導線を走る電子のラブの力はどのように働いているのか。力とエネルギー、力と軌道、力と引力の関係はどのようであるか。【解決手段】原子の中における電子のラブの力と、導線を走る電子のラブの力は自転する力となり、公転する力になっている。その力は、磁気の光子に受け継がれ、電気の光子に受け継がれる。力もエネルギーと同じように受け継がれ保存される。電子のラブの自転軌道エネルギーは磁気の光子の軌道エネルギーになり受け継がれ保存し、引力に成る。１電子のラブの力によって、軌道とエネルギーと引力は作られる。力とエネルギー、力と軌道、力と引力の関係は、１電子のラブの力によってできる軌道であり、１秒間にできるエネルギーと引力の関係である。【選択図】図１
2006204097.tif 000002
【特許請求の範囲】
【請求項１】
原子の電子のラブの軌道と、導線を走る電子のラブの波長はどのように異なるか。
原子の電子のラブの軌道は１．２５×１０−１０ｍです。電子のラブが自由電子のラブになると、小さなエネルギーの場に出るので、又陽子や中性子の引力の束縛から解放されるので、電子のラブの軌道は大きくなる。それで、導線の中を走る時、波長は大きい。
１秒間の回転数は同じです。
【請求項２】
原子の電子のラブと電気の光子と磁気の光子の力と軌道と軌道のエネルギーと軌道エネルギーについて。
ａ原子の電子のラブと電気の光子と磁気の光子の力について。
原子の電子のラブの秒速を４×１０６ｍとしますと、電子のラブの力は、Ｎ＝８×１０−１４Ｊ÷（４×１０６ｍ）＝２×１０−２０Ｎです。
電気の光子の秒速は、３．１４×１．２５×１０−１０ｍ×１０１６回＝４×１０６ｍですから、電気の光子の力は、Ｎ＝８×１０−１４Ｊ÷（４×１０６ｍ）＝２×１０−２０Ｎです。
磁気の光子の秒速は、３．１４×１．２５×１０−１８ｍ×１０２４回＝４×１０６ｍですから、磁気の光子の力は、Ｎ＝８×１０−１４Ｊ÷（４×１０６ｍ）＝２×１０−２０Ｎです。
ｂ原子の電子のラブと電気の光子と磁気の光子の軌道について。
電子のラブと電気の光子の軌道は同じです。１．２５×１０−１０ｍです。
公転軌道×力＝１．２５×１０−１０ｍ×２×１０−２０Ｎ＝２．５４８×１０−３０Ｊです。
それで、
公転軌道＝２．５４８×１０−３０Ｊ÷力。
磁気の光子の軌道は、１．２５×１０−１８Ｊです。
自転軌道×力＝１．２５×１０−１８ｍ×２×１０−２０Ｎ＝２．５４８×１０−３８Ｊです。
それで、
自転軌道＝２．５４８×１０−３８Ｊ÷力。
ｃ原子の電子のラブと電気の光子と磁気の光子の軌道のエネルギーついて。
電子のラブの公転軌道のエネルギー＝３．１４×公転軌道×力＝３．１４×公転軌道×２×１０−２０Ｎ
電気の光子の公転軌道のエネルギー＝３．１４×公転軌道×力＝３．１４×公転軌道×２×１０−２０Ｎ
磁気の光子の自転軌道のエネルギー＝３．１４×自転軌道×力＝３．１４×自転軌道×２×１０−２０Ｎ
よって、
軌道のエネルギー＝３．１４×軌道×力＝３．１４×軌道×２×１０−２０Ｎ
ｄ原子の電子のラブと電気の光子と磁気の光子の軌道×軌道のエネルギー（＝軌道エネルギー＝引力）について。
軌道×軌道のエネルギー（引力）＝軌道×３．１４×軌道×力＝軌道２×３．１４×力
公転軌道＝２．５４８×１０−３０Ｊ÷力ですから、
公転軌道×公転軌道のエネルギー（１個の磁気の光子の引力）＝（２．５４８×１０−３０Ｊ÷力）２×３．１４×力＝２×１０−５９Ｊ÷力＝２×１０−５９Ｊ÷（２×１０−２０Ｎ）＝１０−３９Ｊｍ
この事から、
１個の電気の光子の引力＝２×１０−５９Ｊ÷力です。
１秒間にできる電気の引力＝２×１０−４３Ｊ÷力です。
自転軌道＝２．５４８×１０−３８Ｊ÷力ですから、
自転軌道×自転軌道のエネルギー＝（２．５４８×１０−３８Ｊ÷力）２×３．１４×力＝２×１０−７５Ｊ÷力＝２×１０−７５Ｊ÷（２×１０−２０Ｎ）＝１０−５５Ｊｍ
この事から、
１個の磁気の光子の引力＝２×１０−７５Ｊ÷力です。
１秒間にできる磁気の引力＝２×１０−５１Ｊ÷力です。
原子の中で、１秒間にできる軌道エネルギーは、
電子のラブの１秒間の軌道エネルギーは、１０−３９Ｊｍ×１０１６回＝１０−２３Ｊｍです。
電子のラブが１秒間に作る電気の光子の軌道エネルギーは、１０−３９Ｊｍ×１０１６回＝１０−２３Ｊｍです。
電子のラブが１秒間に作る磁気の光子の軌道エネルギーは、１０−５５Ｊｍ×１０２４回＝１０−３１Ｊｍです。
原子の電子のラブが作る光子の軌道エネルギーは一定です。この軌道エネルギーが引力になる。
【請求項３】
導線の中の自由電子のラブと電気の光子と磁気の光子の力と波長と波長のエネルギーと波長×波長のエネルギーについて。
ａ導線の中の、自由電子のラブと電気の光子と磁気の光子の力について。
導線の中で、電子のラブの秒速を３×１０８ｍとしますと、電子のラブの力は、Ｎ＝８×１０−１４Ｊ÷（３×１０８ｍ）＝２．６６７×１０−２２Ｎです。
電気の光子も秒速３×１０８ｍですから、電気の光子の力は、Ｎ＝８×１０−１４Ｊ÷（３×１０８ｍ）＝２．６６７×１０−２２Ｎです。
磁気の光子も秒速３×１０８ｍですから、磁気の光子の力は、Ｎ＝８×１０−１４Ｊ÷（３×１０８ｍ）＝２．６６７×１０−２２Ｎです。
ｂ導線の中の、自由電子のラブと電気の光子と磁気の光子の波長について。
電子のラブの波長は、３×１０８ｍ÷１０１６回転÷３．１４＝０．９５５４×１０−８ｍです。
電気の光子の波長は、３×１０８ｍ÷１０１６回転÷３．１４＝０．９５５４×１０−８ｍです。
自由電子のラブの波長×力＝０．９５５４×１０−８ｍ×２．６６７×１０−２２Ｎ＝２．５４８×１０−３０Ｊです。
電気の光子の波長×力＝０．９５５４×１０−８ｍ×２．６６７×１０−２２Ｎ＝２．５４８×１０−３０Ｊです。
磁気の光子の波長は、３×１０８ｍ÷１０８回転÷３．１４＝０．９５５４×１０−１６ｍです。
磁気の光子の波長×力＝０．９５５４×１０−１６ｍ×２．６６７×１０−２２Ｎ＝２．５４８×１０−３８Ｊです。
これは原子の中と同じです。
ｃ導線の中の、自由電子のラブと電気の光子と磁気の光子の波長のエネルギーについて。
自由電子のラブの１波長のエネルギー＝３．１４×波長×力＝３．１４×０．９５５４×１０−８ｍ×２．６６７×１０−２２Ｎ＝８×１０−３０Ｊ
電気の光子の１波長のエネルギー＝３．１４×波長×力＝３．１４×０．９５５４×１０−８ｍ×２．６６７×１０−２２Ｎ＝８×１０−３０Ｊ
磁気の光子の１波長のエネルギー＝３．１４×波長×力＝３．１４×０．９５５４×１０−１６ｍ×２．６６７×１０−２２Ｎ＝８×１０−３８Ｊ
これは原子の中と同じです。
ｄ導線の中の、自由電子のラブと電気の光子と磁気の光子の波長×波長のエネルギーについて。
波長×波長のエネルギー＝波長×３．１４×波長×力＝波長２×３．１４×力
自由電子のラブの波長＝２．５４８×１０−３０Ｊ÷力ですから、
自由電子のラブの波長×波長のエネルギー＝（２．５４８×１０−３０Ｊ÷力）２×３．１４×力＝２×１０−５９Ｊ÷（２．６６７×１０−２２Ｎ）＝７．６４３×１０−３８Ｊｍ
電気の光子の波長＝２．５４８×１０−３０Ｊ÷力ですから、
電気の光子の波長×波長のエネルギー（１個の電気の光子の引力）＝（２．５４８×１０−３０Ｊ÷力）２×３．１４×力＝２×１０−５９Ｊ÷力＝２×１０−５９Ｊ÷（２．６６７×１０−２２Ｎ）＝７．６４３×１０−３８Ｊｍ
この事から、
１波長の電気の光子の引力＝２×１０−５９Ｊ÷力です。
１秒間にできる電気の引力＝２×１０−４３Ｊ÷力です。
磁気の光子の波長＝２．５４８×１０−３８Ｊ÷力ですから、
磁気の光子の波長×波長のエネルギー（１個の磁気の光子の引力）＝（２．５４８×１０−３８Ｊ÷力）２×３．１４×力＝２×１０−７５Ｊ÷力＝２×１０−７５Ｊ÷（２．６６７×１０−２２Ｎ）＝７．６４３×１０−５４Ｊｍ
この事から、
１個の磁気の光子の引力＝２×１０−７５Ｊ÷力です。
１秒間にできる磁気の引力＝２×１０−５１Ｊ÷力です。
導線の中の、自由電子のラブの波長×エネルギーは、７．６４３×１０−３８Ｊｍです。
自由電子のラブが作る電気の光子の波長×エネルギー（１個の電気の光子の引力）は、７．６４３×１０−３８Ｊｍです。
自由電子のラブが作る磁気の光子の波長×エネルギー（１個の磁気の光子の引力）は、７．６４３×１０−５４Ｊｍです。
導線の中で、１秒間にできる波長×エネルギーは、
自由電子のラブの１秒間の波長×エネルギーは、７．６４３×１０−３８Ｊｍ×１０１６回＝７．６４３×１０−２２Ｊｍです。
自由電子のラブが１秒間に作る電気の光子の波長エネルギー（１秒間の電気の引力）は、７．６４３×１０−３８Ｊｍ×１０１６回＝７．６４３×１０−２２Ｊｍです。
自由電子のラブが１秒間に作る磁気の光子の波長エネルギー（１秒間の磁気の引力）は、７．６４３×１０−５４Ｊｍ×１０２４回＝７．６４３×１０−３０Ｊｍです。
この光子の軌道エネルギーが引力になる。
【請求項４】
自由電子のラブが作る電気の光子の軌道エネルギーと磁気の光子の軌道エネルギーは、原子の電子のラブが作る電気の光子の軌道エネルギーと磁気の光子の軌道エネルギーの何倍か。この理由は何か。
自由電子のラブが作る電気の光子の軌道エネルギーは、７．６４３×１０−３８Ｊｍです。
原子の電子のラブが作る電気の光子の軌道エネルギーは、１０−３９Ｊｍです。
自由電子のラブが作る電気の光子の軌道エネルギーは、原子の電子のラブが作る電気の光子の軌道エネルギーの、７．６４３×１０−３８Ｊｍ÷１０−３９Ｊｍ＝７６．４３倍です。
自由電子のラブが作る磁気の光子の軌道エネルギーは、７．６４３×１０−５４Ｊｍです。
原子の電子のラブが作る磁気の光子の軌道エネルギーは、１０−５５Ｊｍです。
自由電子のラブが作る磁気の光子の軌道エネルギーは、原子の電子のラブが作る磁気の光子の軌道エネルギーの、７．６４３×１０−５４Ｊｍ÷１０−５５Ｊｍ＝７６．４３倍です。
この光子の軌道エネルギーが引力を作る。
この理由は何か。
これは、原子の電子のラブの公転軌道が、伸びたためです。
１秒間に走る距離が、４×１０６ｍから３×１０８ｍになり、３×１０８ｍ÷（４×１０６ｍ）＝７５倍になったからです。
【請求項５】
電子のラブの自転の力は磁気の光子に継承され、保存される。電子のラブの公転の力は電気の光子に継承され、保存される。
原子の中の電子のラブの場合。
電子のラブの力＝電気の光子の力＝磁気の光子の力＝８×１０−ｌ４Ｊ÷（４×１０６ｍ）＝２×１０−２０Ｎです。
電子のラブの力は２×１０−２０Ｎで、その力が磁気の光子の力となる。
電子のラブは２×１０−２０Ｎの力で１．２５×１０−１８ｍの自転をし、１秒間に１０２４回転する。
電子のラブの力が磁気の光子の力となる。磁気の光子は２×１０−２０Ｎの力で１．２５×１０−１８ｍの軌道を１秒間に１０２４回転する。
電子のラブの自転の力は磁気の光子の力として継承され、保存される。
電子のラブは２×１０−２０Ｎの力で１．２５×１０−１０ｍの公転をし、１秒間に１０１６回転する。
電子のラブの力が電気の光子の力となる。電気の光子は２×１０−２０Ｎの力で１．２５×１０−１０ｍの軌道を１秒間に１０１６回転する。
電子のラブの公転の力は電気の光子の力として継承され、保存される。
導線を走る、自由電子のラブの場合。
電子のラブの力＝電気の光子の力＝磁気の光子の力＝８×１０−１４Ｊ÷（３×１０８ｍ）＝２．６６７×１０−２２Ｎです。
導線の中で、自由電子のラブの力は２．６６７×１０−２２Ｎで、その力が磁気の光子の力になる。
自由電子のラブは２．６７７×１０−２２Ｎの力で０．９５５４×１０−１６ｍの自転をし、１秒間に１０２４回転する。
自由電子のラブの自転の力が磁気の光子の力となる。磁気の光子は２．６６７×１０−２２Ｎの力で０．９５５４×１０−１６ｍの軌道を１秒間に１０２４回転する。
自由電子のラブの自転の力は磁気の光子の力として継承され、保存される。
異なる電荷の場合。
自由電子のラブは２．６６７×１０−２２Ｎの力で０．９５５４×１０−８ｍの公転をし、１秒間に１０１６回転する。
自由電子のラブの公転の力が電気の光子の力となる。電気の光子は２．６６７×１０−２２Ｎの力で０．９５５４×１０−８ｍの軌道を１秒間に１０１６回転する。
自由電子のラブの公転の力は電気の光子の力として継承され、保存される。
【請求項６】
電子のラブの自転軌道×エネルギーは磁気の光子に継承され、保存される。
電子のラブの公転軌道×エネルギーは電気の光子に継承され、保存される。
原子の中の電子のラブの場合。
原子の電子のラブの自転軌道×エネルギーは、磁気の光子の自転軌道×エネルギーとなり受け継がれ保存される。
電子のラブが１回自転する軌道は１．２５×１０−１８ｍで、そのエネルギーは８×１０−３８Ｊです。この自転軌道とそのエネルギーは磁気の光子に受け継がれ、保存される。
これは１回転の引力になる。１回転の引力は１０−５５Ｊｍです。
原子の電子のラブの自転は１秒間に１０２４回なので、磁気の光子も１秒間に１０２４回自転する。
電子のラブの１秒間の軌道エネルギーは、自転軌道×エネルギー×１秒間の自転回数で、これは、磁気の光子の自転軌道×エネルギー×１秒間の自転回数となり受け継がれ保存される。
これは１秒間の磁気の引力になる。１秒間の磁気の引力は１０−３１Ｊｍです。
導線を走る、自由電子のラブの場合。
自由電子のラブの自転軌道×エネルギーは、磁気の光子の自転軌道×エネルギーとなり受け継がれ保存される。
自由電子のラブが１回自転する軌道は０．９５５４×１０−１６ｍで、そのエネルギーは８×１０−３８Ｊです。この自転軌道とそのエネルギーは磁気の光子に受け継がれ、保存される。
これは１回転の磁気の引力になる。１回転の磁気の引力は７．６４３×１０−５４Ｊｍです。
自由電子のラブの自転は１秒間に１０２４回なので、磁気の光子も１秒間に１０２４回自転する。
自由電子のラブの１秒間の軌道エネルギーは、自転軌道×エネルギー×１秒間の自転回数で、これは、磁気の光子の自転軌道×エネルギー×１秒間の自転回数となり受け継がれ保存される。
これは１秒間の磁気の引力になる。１秒間の磁気の引力は７．６４３×１０−３０Ｊｍです。
異なる電荷の間では、自由電子のラブの公転軌道×エネルギーは、電気の光子の公転軌道×エネルギーとなり受け継がれ保存される。
自由電子のラブが１回公転する軌道は０．９５５４×１０−８ｍで、そのエネルギーは８×１０−３０Ｊです。この公転軌道とエネルギーは電気の光子に受け継がれ、保存される。
これは１回転の電気の引力になる。１回転の電気の引力は７．６４３×１０−３８Ｊｍです。
自由電子のラブの公転は１秒間に１０１６回なので、磁気の光子も１秒間に１０１６回公転する。
電子のラブの１秒間の軌道エネルギーは、公転軌道×エネルギー×１秒間の公転回数で、これは、磁気の光子の公転軌道×エネルギー×１秒間の公転回数となり受け継がれ保存される。
これは１秒間の電気の引力になる。１秒間の電気の引力は７．６４３×１０−２２Ｊｍです。
【請求項７】
電子のラブの１秒間の自転エネルギーは、磁気の光子に継承され保存される。
電子のラブの１秒間の公転エネルギーは、電気の光子に継承され保存される。
電子のラブが２×１０−２０Ｎの力で１秒間自転することにより、８×１０−１４Ｊの磁気の光子のエネルギーができる。これは電子のラブの自転エネルギーを磁気の光子が受け継ぎ保存したからです。
電子のラブが２×１０−２０Ｎの力で１秒間公転することにより、８×１０−１４Ｊの電気の光子のエネルギーができる。これは電子のラブの公転エネルギーを電気の光子が受け継ぎ保存したからです。
【請求項８】
力とエネルギーと引力の統一について。
▲１▼力には電子のラブの力と磁気の光子の力と電気の光子の力がある。
▲２▼電子のラブの力は磁気の光子の力になり、電気の光子の力になる。
磁気の光子の力は磁力であり、電気の光子の力は電力です。
▲３▼物体の原子の中の電子のラブの場合。
電子のラブの力＝電気の光子の力＝磁気の光子の力＝８×１０−１４Ｊ÷（４×１０６ｍ）＝２×１０−２０Ｎです。
電子のラブの自転の力は、磁気の光子に受け継がれ、保存する。
電子のラブの公転の力は、電気の光子に受け継がれ、保存する。
導線を走る電子のラブの場合。
電子のラブの力＝電気の光子の力＝磁気の光子の力＝８×１０−１４Ｊ÷（３×１０８ｍ）＝２．６６７×１０−２２Ｎです。
自由電子のラブの自転の力は、磁気の光子に受け継がれ、保存する。
自由電子のラブの公転の力は、電気の光子に受け継がれ、保存する。
▲４▼この力により１秒間に８×１０−１４Ｊのエネルギーができる。
▲５▼電子のラブが自転することにより１秒間に８×１０−１４Ｊの磁気の光子のエネルギーができる。
これは、電子のラブの自転エネルギーを磁気の光子が受け継ぎ保存したからです。
電子のラブが公転する事により１秒間に８×１０−１４Ｊの電気の光子のエネルギーができる。
これは、電子のラブの公転エネルギーを磁気の光子が受け継ぎ保存したからです。
▲６▼引力には磁気の光子の力によってできる引力と、電気の光子の力によってできる引力がある。
▲７▼磁気の光子の力によってできる引力を磁気の引力、電気の光子の力によってできる引力を電気の引力と呼ぶ。電気の引力は異なる電荷間に働く。
▲８▼磁気の光子の軌道エネルギーが磁気の引力になる。電気の光子の軌道エネルギーが電気の引力になる。
▲９▼原子の電子のラブの場合。
１電子のラブが１秒間に作る磁気の光子の軌道エネルギーは、自転軌道×１自転でできる磁気の光子のエネルギー×１０２４回転＝１０−３１Ｊｍです。
電子のラブの１秒間の軌道エネルギーは、自転軌道×エネルギー×１秒間の自転回数で、これは、磁気の光子の自転軌道×エネルギー×１秒間の自転回数となり受け継がれ保存される。
導線の自由電子のラブの場合。
１自由電子のラブが１秒間に作る磁気の光子の軌道エネルギーは、自転軌道×１自転でできる磁気の光子のエネルギー×１０２４回転＝７．６４３×１０−３０Ｊｍです。
自由電子のラブの１秒間の軌道エネルギーは、自転軌道×エネルギー×１秒間の自転回数で、これは、磁気の光子の自転軌道×エネルギー×１秒間の自転回数となり受け継がれ保存される。
異なる電荷の場合。
１自由電子のラブが１秒間に作る電気の光子の軌道エネルギーは、公転軌道×１公転でできる電気の光子のエネルギー×１０１６回転＝７．６４３×１０−２２Ｊｍです。
異なる電荷の間では、自由電子のラブの１秒間の軌道エネルギーは、公転軌道×エネルギー×１秒間の公転回数で、これは、電気の光子の公転軌道×エネルギー×１秒間の公転回数となり受け継がれ保存される。
▲１０▼この磁気の光子の軌道エネルギーにより全ての磁気の引力はできる。この電気の光子の軌道エネルギーにより全ての電気の引力はできる。
▲１１▼物体で、１電子のラブが１秒間に作る磁気の引力は、１０−３１Ｊｍです。導線で、１自由電子のラブが１秒間に作る磁気の引力は、７．６４３×１０−３０Ｊｍです。
▲１２▼異符号の電荷による電気の引力は、１自由電子が１秒間に作る電気の引力は、７．６４３×１０−２２Ｊｍです。
【請求項９】
物体の場合。力とエネルギーと引力の単位の統一について。
物体の力とエネルギーと引力は電子が作る。又陽子が作る。今回は電子のみ記す。
力とエネルギーと引力の単位の関係は、１電子が作る力とエネルギーと引力の関係です。
１電子が作る力は２×１０−２０Ｎです。この力によって、エネルギーができる。
１電子が１秒間に作るエネルギーは８×１０−１４Ｊです。
１電子が１秒間に作る磁気の光子の軌道エネルギーは１０−３１Ｊｍ＝１０−３１Ｎｍ２です。
１電子が１秒間に作る電気の光子の軌道エネルギーは１０−２３Ｊｍ＝１０−２３Ｎｍ２です。
これによって、１Ｎと１Ｊと１Ｊｍの関係を求める。
▲１▼ＮとＪの関係は、
２×１０−２０Ｎ＝８×１０−１４Ｊですから、
１Ｎ＝８×１０−１４Ｊ÷（２×１０−２０）＝４×１０６Ｊです。
８×１０−１４Ｊ＝２×１０−２０Ｎですから、
１Ｊ＝２×１０−２０Ｎ÷（８×１０−１４）＝２．５×１０−７Ｎです。
▲２▼Ｊと磁気の引力Ｊｍの関係は、
８×１０−１４Ｊ＝１０−３１Ｊｍですから、
１Ｊ＝１０−３１Ｊｍ÷（８×１０−１４）＝１．２５×１０−１８Ｊｍです。
１０−３１Ｊｍ＝８×１０−１４Ｊですから、
１Ｊｍ＝８×１０−１４Ｊ÷１０−３１＝８×１０１７Ｊです。
▲３▼Ｎと磁気の引力Ｊｍの関係は、
２×１０−２０Ｎ＝１０−３１Ｊｍですから、
１Ｎ＝１０−３１Ｊｍ÷（２×１０−２０）＝５×１０−１２Ｊｍです。
１０−３１Ｊｍ＝２×１０−２０Ｎですから、
１Ｊｍ＝２×１０−２０Ｎ÷１０−３１＝２×１０１１Ｎです。
▲４▼Ｊと電気の引力Ｊｍの関係は、
８×１０−１４Ｊ＝１０−２３Ｊｍですから、
１Ｊ＝１０−２３Ｊｍ÷（８×１０−１４）＝１．２５×１０−１０Ｊｍです。
１０−２３Ｊｍ＝８×１０−１４Ｊですから、
１Ｊｍ＝８×１０−１４Ｊ÷１０−２３＝８×１０９Ｊです。
▲５▼Ｎと電気の引力Ｊｍの関係は、
２×１０−２０Ｎ＝１０−２３Ｊｍですから、
１Ｎ＝１０−２３Ｊｍ÷（２×１０−２０）＝５×１０−４Ｊｍです。
１０−２３Ｊｍ＝２×１０−２０Ｎですから、
１Ｊｍ＝２×１０−２０Ｎ÷１０−２３＝２×１０３Ｎです。
▲６▼電気の引力と磁気の引力の関係は、
電気の引力は磁気の引力の、１０−２３Ｊｍ÷１０−３１Ｊｍ＝１０８倍です。
【請求項１０】
物体の場合。Ｋ個の電子のラブでできる力とエネルギーと磁気の引力と電気の引力はいくらか。
Ｋ個の電子のラブでできる力は、Ｋ×２×１０−２０Ｎです。
Ｋ個の電子のラブでできるエネルギーは、Ｋ×８×１０−１４Ｊです。
Ｋ個の電子のラブでできる磁気の引力は、Ｋ×１０−３１Ｊｍ＝Ｋ×１０−３１Ｎｍ２です。
Ｋ個の電子のラブでできる電気の引力は、Ｋ×１０−２３Ｊｍ＝Ｋ×１０−２３Ｎｍ２です。
【請求項１１】
物体の場合。１つの物体にＫ個の電子があり、他の物体にＬ個の電子がある。それらの物体がＭｍ離れている場合、その間にできるＮとＪと磁気の引力と電気の引力はどれ位か。この場合、力の定数、エネルギーの定数、磁気の引力の定数、電気の引力の定数はいくらか。この定数はそれぞれ何倍であるか。
▲１▼Ｋ個の電子とＬ個の電子がＭｍ離れている場合、その間にできるＮとＪと磁気の引力と電気の引力はどれ位か。
Ｎ＝Ｋ個の電子でできるＮ×Ｌ個の電子ででできるＮ÷Ｍ２＝Ｋ×２×１０−２０Ｎ×Ｌ×２×１０−２０Ｎ÷Ｍ２＝（２×１０−２０）２Ｎ×Ｋ×Ｌ÷Ｍ２＝４×１０−４０Ｎ×Ｋ×Ｌ÷Ｍ２
Ｊ＝Ｋ個の電子でできるＪ×Ｌ個の電子ででできるＪ÷Ｍ２＝Ｋ×８×１０−１４Ｊ×Ｌ×８×１０−１４Ｊ÷Ｍ２＝（８×１０−１４）２Ｊ×Ｋ×Ｌ÷Ｍ２＝６．４×１０−２７Ｊ×Ｋ×Ｌ÷Ｍ２
磁気の引力＝Ｋ個の電子でできるＪｍ×Ｌ個の電子ででできるＪｍ÷Ｍ２＝Ｋ×１０−３１Ｊｍ×Ｌ×１０−３１Ｊ÷Ｍ２＝（１０−３１）２Ｊｍ×Ｋ×Ｌ÷Ｍ２＝１０−６２Ｊｍ×Ｋ×Ｌ÷Ｍ２
電気の引力＝Ｋ個の電子でできる電気引力のＪｍ×Ｌ個の電子ででできる電気の引力のＪｍ÷Ｍ２＝Ｋ×１０−２３Ｊｍ×Ｌ×１０−２３Ｊ÷Ｍ２＝（１０−２３）２Ｊｍ×Ｋ×Ｌ÷Ｍ２＝１０−４６Ｊｍ×Ｋ×Ｌ÷Ｍ２
▲２▼この場合、力の定数、エネルギーの定数、磁気の引力の定数、電気の引力の定数はいくらか。
力の定数は、４×１０−４０Ｎです。
エネルギーの定数は、６．４×１０−２７Ｊです。
磁気の引力の定数は、１０−６２Ｊｍです。
電気の引力の定数は、１０−４６Ｊｍです。
▲３▼力の定数、エネルギーの定数、磁気の引力の定数、電気の引力の定数はそれぞれ何倍であるか。
Ｎの定数はＪの定数の何倍か。
４×１０−４０÷（６．４×１０−２７）＝６．２５×１０−１４倍です。
Ｊの定数はＮの定数の何倍か。
６．４×１０−２７÷（４×１０−４０）＝１．６×１０１３倍です。
Ｎの定数は磁気の引力の定数の何倍か。
４×１０−４０÷１０−６２＝４×１０２２倍です。
磁気の引力の定数はＮの定数の何倍か。
１０−６２÷（４×１０−４０）＝２．５×１０−２３倍です。
Ｎの定数は電気の引力の定数の何倍か。
４×１０−４０÷１０−４６＝４×１０６倍です。
電気の引力の定数はＮの定数の何倍か。
１０−４６÷（４×１０−４０）＝２．５×１０−７倍です。
Ｊの定数は磁気の引力の定数の何倍か。
６．４×１０−２７÷１０−６２＝６．４×１０３５倍です。
磁気の引力の定数はＪの定数の何倍か。
１０−６２÷（６．４×１０−２７）＝１．５６２５×１０−３６倍です。
Ｊの定数は電気の引力の定数の何倍か。
６．４×１０−２７÷１０−４６＝６．４×１０１９倍です。
電気の引力の定数はＪの定数の何倍か。
１０−４６÷（６．４×１０−２７）＝１．５６２５×１０−２０倍です。
磁気の引力の定数は電気の引力の定数の何倍か。
１０−６２÷１０−４６＝１０−１６倍です。
電気の引力の定数は磁気の引力の定数の何倍か。
１０−４６÷１０−６２＝１０１６倍です。
【請求項１２】
導線の場合。力とエネルギーと引力の単位の統一について。
導線の場合。力とエネルギーと引力は自由電子が作る。
導線の場合。力とエネルギーと引力の単位の関係は、自由電子１個が作る力とエネルギーと引力の関係です。
１自由電子が作る力は２．６６７×１０−２２Ｎです。この力によって、エネルギーができる。
１自由電子が１秒間に作るエネルギーは８×１０−１４Ｊです。
１自由電子が１秒間に作る磁気の光子の軌道エネルギーは７．６４３×１０−３０Ｊｍです。
１自由電子が１秒間に作る電気の光子の軌道エネルギーは７．６４３×１０−２２Ｊｍです。
これによって、１Ｎと１Ｊと１Ｊｍの関係を求める。
▲１▼ＮとＪの関係は、
２．６６７×１０−２２Ｎ＝８×１０−１４Ｊですから、
１Ｎ＝８×１０−１４Ｊ÷（２．６６７×１０−２２）＝３×１０８Ｊです。
１Ｊ＝１Ｎ÷（３×１０８）＝３．３３×１０−９Ｎです。
▲２▼Ｊと磁気の引力の関係は、
８×１０−１４Ｊ＝７．６４３×１０−３０Ｊｍですから、
１Ｊ＝７．６４３×１０−３０Ｊｍ÷（８×１０−１４）＝０．９５５４×１０−１６Ｊｍです。
１Ｊｍ＝１Ｊ÷（０．９５５４×１０−１６）＝１．０４７×１０１６Ｊ
▲３▼Ｎと磁気の引力の関係は、
２．６６７×１０−２２Ｎ＝７．６４３×１０−３０Ｊｍですから、
１Ｎ＝７．６４３×１０−３０Ｊｍ÷（２．６６７×１０−２２）＝２．８６６×１０−８Ｊｍです。
１Ｊｍ＝１Ｎ÷（２．８６６×１０−８）＝３．４９×１０７Ｎです。
▲４▼Ｊと電気の引力の関係は、
８×１０−１４Ｊ＝７．６４３×１０−２２Ｊｍですから、
１Ｊ＝７．６４３×１０−２２Ｊｍ÷（８×１０−１４）＝０．９５５４×１０−８Ｊｍです。
１Ｊｍ＝１Ｊ÷（０．９５５４×１０−８）＝１．０４７×１０８Ｊ
▲５▼Ｎと電気の引力の関係は、
２．６６７×１０−２２Ｎ＝７．６４３×１０−２２Ｊｍですから、
１Ｎ＝７．６４３×１０−２２Ｊｍ÷（２．６６７×１０−２２）＝２．８６６Ｊｍです。
１Ｊｍ＝１Ｎ÷２．８６６＝０．３４９Ｎです。
▲６▼電気の引力と磁気の引力の関係は、
電気の引力は、磁気の引力の７．６４３×１０−２２Ｊｍ÷（７．６４３×１０−３０Ｊｍ）＝１０８倍です。
【請求項１３】
２本の導線の間にできる力、エネルギー、引力について。
１つの導線にＫ個の電子が走っていて、他方の導線にＬ個の電子が走っている。それらの導線がＭｍ離れている場合、その間にできるＮとＪと磁気の引力と電気の引力はどれ位か。
この場合、力の定数、エネルギーの定数、磁気の引力の定数、電気の引力の定数はいくらか。この定数はそれぞれ何倍であるか。
▲１▼１つの導線にＫ個の電子が走っていて、他方の導線にＬ個の電子が走っている。それらの導線がＭｍ離れている場合、その間にできるＮとＪと磁気の引力と電気の引力はどれ位か。
Ｎ＝Ｋ個の電子でできるＮ×Ｌ個の電子ででできるＮ÷Ｍ２＝Ｋ×２．６６７×１０−２２Ｎ×Ｌ×２．６６７×１０−２２Ｎ÷Ｍ２＝（２．６６７×１０−２２）２Ｎ×Ｋ×Ｌ÷Ｍ２＝７．１１×１０−４４Ｎ×Ｋ×Ｌ÷Ｍ２
Ｊ＝Ｋ個の電子でできるＪ×Ｌ個の電子ででできるＪ÷Ｍ２＝Ｋ×８×１０−１４Ｊ×Ｌ×８×１０−１４Ｊ÷Ｍ２＝（８×１０−１４）２Ｊ×Ｋ×Ｌ÷Ｍ２＝６．４×１０−２７Ｊ×Ｋ×Ｌ÷Ｍ２
磁気の引力＝Ｋ個の電子でできるＪｍ×Ｌ個の電子ででできるＪｍ÷Ｍ２＝Ｋ×７．６４３×１０−３０Ｊｍ×Ｌ×７．６４３×１０−３０Ｊ÷Ｍ２＝（７．６４３×１０−３０）２Ｊｍ×Ｋ×Ｌ÷Ｍ２＝５．８４×１０−５９Ｊｍ×Ｋ×Ｌ÷Ｍ２
電気の引力＝Ｋ個の電子でできる電気引力のＪｍ×Ｌ個の電子ででできる電気の引力のＪｍ÷Ｍ２＝Ｋ×７．６４３×１０−２２Ｊｍ×Ｌ×７．６４３×１０−２２Ｊ÷Ｍ２＝（７．６４３×１０−２２）２Ｊｍ×Ｋ×Ｌ÷Ｍ２＝５．８４×１０−４３Ｊｍ×Ｋ×Ｌ÷Ｍ２
▲２▼この場合、力の定数、エネルギーの定数、磁気の引力の定数、電気の引力の定数はいくらか。
力の定数は、７．１１×１０−４４Ｎです。
エネルギーの定数は、６．４×１０−２７Ｊです。
磁気の引力の定数は５．８４×１０−５９Ｊｍです。
電気の引力の定数は、５．８４×１０−４３Ｊｍです。
▲３▼力の定数、エネルギーの定数、磁気の引力の定数、電気の引力の定数はそれぞれ何倍であるか。
Ｎの定数はＪの定数の何倍か。
７．１１×１０−４４÷（６．４×１０−２７）＝１．１１×１０−１７倍です。
Ｊの定数はＮの定数の何倍か。
６．４×１０−２７÷（７．１１×１０−４４）＝９×１０１６倍です。
Ｎの定数は磁気の引力の定数の何倍か。
７．１１×１０−４４÷（５．８４×１０−５９）＝１．２１７×１０１５倍です。
磁気の引力の定数はＮの定数の何倍か。
５．８４×１０−５９÷（７．１１×１０−４４）＝７．７×１０−１６倍です。
Ｎの定数は電気の引力の定数の何倍か。
７．１１×１０−４４÷（５．８４×１０−４３）＝０．１２１７倍です。
電気の引力の定数はＮの定数の何倍か。
５．８４×１０−４３÷（７．１１×１０−４４）＝７．７倍です。
Ｊの定数は磁気の引力の定数の何倍か。
６．４×１０−２７÷（５．８４×１０−５９）＝１．０９５×１０３２倍です。
磁気の引力の定数はＪの定数の何倍か。
５．８４×１０−５９÷（６．４×１０−２７）＝０．９１２５×１０−３２倍です。
Ｊの定数は電気の引力の定数の何倍か。
６．４×１０−２７÷（５．８４×１０−４３）＝１．０９５×１０１６倍です。
電気の引力定数はＪの定数の何倍か。
５．８４×１０−４３÷（６．４×１０−２７）＝０．９１２５×１０−１６倍です。
電気の引力定数は磁気の引力定数の何倍か。
５．８４×１０−４３÷（５．８４×１０−５９）＝１０１６倍です。
磁気の引力定数は電気の引力定数の何倍か。
５．８４×１０−５９÷（５．８４×１０−４３）＝１０−１６倍です。
【請求項１４】
１Ｎには何個の電子のラブが走っているか。１Ｎのエネルギーと、磁気の引力と、電気の引力はいくらか。図３
▲１▼１Ｎには何個の電子のラブが走っているか。
１電子のラブの力は、２．６６７×１０−２２Ｎですから、
１Ｎ÷（２．６６７×１０−２２Ｎ）＝３．７５×１０２１個
３．７５×１０２１個の電子のラブが走っている。
▲２▼３．７５×１０２１個の電子のラブでできるエネルギーはいくらか。
１電子のラブが１秒間に作るエネルギーは、８×１０−１４Ｊですから、
３．７５×１０２１個×８×１０−１４Ｊ＝３×１０８Ｊです。
▲３▼３．７５×１０２１個の電子のラブでできる磁気の引力はいくらか。
１電子のラブが１秒間に作る磁気の引力は、７．６４３×１０−３０Ｊｍですから、
３．７５×１０２１個×７．６４３×１０−３０Ｊｍ＝２．８６６×１０−８Ｊｍです。
▲４▼３．７５×１０２１個の電子のラブでできる電気の引力はいくらか。
１電子のラブが１秒間に作る電気の引力は、７．６４３×１０−２２Ｊｍですから、
３．７５×１０２１個×７．６４３×１０−２２Ｊｍ＝２．８６６Ｊｍです。
【請求項１５】
１Ｎと１Ｎの間が１ｍ離れている時、その間のエネルギーはいくらか。磁気の引力はいくらか。この場合、磁気の引力定数はいくらか。磁気の引力定数の引力は何個の電子のラブによってできたか。電気の引力はいくらか。電気の引力定数はいくらか。電気の引力定数の引力は何個の電子のラブによってできたか。
ａ．１Ｎと１Ｎの間が１ｍ離れている時、その間のエネルギーはいくらか。
１Ｎ＝３×１０８Ｊですから、
（１Ｎ）２＝（３×１０８Ｊ）２＝９×１０１６Ｊです。
ｂ．１Ｎと１Ｎの間が１ｍ離れている時、その間の磁気の引力はいくらか。
磁気の引力は、１Ｎ＝２．８６６×１０−８Ｊｍですから、
（１Ｎ）２＝（２．８６６×１０−８Ｊｍ）２＝８．２１４×１０−１６Ｊｍです。
１Ｎと１Ｎの間が１ｍ離れている時、その間の磁気の引力定数はいくらか。
磁気の引力定数は、８．２１４×１０−１６Ｊｍです。
ｃ．磁気の引力定数の引力は何個の電子のラブによってできたか。
１個の電子が１秒間に作る磁気の引力は７．６４３×１０−３０Ｊｍですから、８．２１４×１０−１６Ｊｍは、８．２１４×１０−１６Ｊｍ÷（７．６４３×１０−３０Ｊｍ）＝１×１０１４個の電子のラブが作った。
この個数は、（１Ｎに走る電子のラブの数）２×１個の電子が１秒間に作る磁気の引力＝（３．７５×１０２１個）２×７．６４３×１０−３０＝１×１０１４個です。
ｄ．１Ｎと１Ｎの間が１ｍ離れている時、異なる電荷の間に働く電気の引力はいくらか。
電気の引力は、１Ｎ＝２．８６６Ｊｍですから、
（１Ｎ）２＝（２．８６６Ｊｍ）２＝８．２１４Ｊｍです。
１Ｎと１Ｎの間が１ｍ離れている時、その間の電気の引力定数はいくらか。
電気の引力定数は、８．２１４Ｊｍです。
ｅ．電気の引力定数の引力は何個の電子のラブによってできたか。
１個の電子が１秒間に作る電気の引力は７．６４３×１０−２２Ｊｍですから、８．２１４Ｊｍは、
８．２１４Ｊｍ÷（７．６４３×１０−２２Ｊｍ）＝１．０７４×１０２２個の電子のラブが作った。
この個数は、（１Ｎに走る電子のラブの数）２×１個の電子が１秒間に作る電気の引力＝（３．７５×１０２１個）２×７．６４３×１０−２２＝１．０７４×１０２２個です。
【請求項１６】
１Ａの導線には何個の電子のラブが走っているか。４．４７２×１０−４Ｎのエネルギーと、磁気の引力はいくらか。
▲１▼１Ａには何個の電子のラブが走っているか。
１Ａの導線には、（２×１０−７Ｎ）−１／２＝４．４７２×１０−４Ｎの力がある。
これは、何個の電子のラブの力か。
４．４７２×１０−４Ｎ÷（２．６６７×１０−２２Ｎ）＝１．６７７×１０１８個
１Ａの導線には１．６７７×１０１８個の電子のラブが走っている。
▲２▼４．４７２×１０−４Ｎのエネルギーはいくらか。
１Ｎ＝３×１０８Ｊですから、
４．４７２×１０−４Ｎ×３×１０８Ｊ＝１．３４１６×１０５Ｊです。
４．４７２×１０−４Ｎの磁気の引力はいくらか。
▲３▼磁気の引力は、１Ｎ＝２．８６６×１０−８Ｊｍですから、
４．４７２×１０−４Ｎ×２．８６６×１０−８Ｊｍ＝１．２８２×１０−１１Ｊｍです。
【請求項１７】
１Ａと１Ａが１ｍ離れている間に働くエネルギーはいくらか。この場合、磁気の引力はいくらか。これは何Ｎか。この場合、磁気の引力定数はいくらか。磁気の引力定数の引力は何個の電子のラブによってできたか。
ａ．１Ａと１Ａが１ｍ離れているとき、その間のエネルギーはいくらか。
４．４７２×１０−４Ｎ＝１．３４１６×１０５Ｊですから、
（１．３４１６×１０５Ｊ）２＝１．８×１０１０Ｊです。
ｂ．１Ａと１Ａが１ｍ離れている間に働く磁気の引力は、
１Ａでできる磁気の引力は、１．２８２×１０−１１Ｊｍですから、
（１．２８２×１０−１１Ｊｍ）２＝１．６４４×１０−２２Ｊｍです。
これは何Ｎか。
力の定数は磁気の引力の定数の１．２１７×１０１５倍ですから、
１．６４４×１０−２２×１．２１７×１０１５＝２×１０−７Ｎです。
１Ａと１Ａが１ｍ離れている間に働く磁気の引力定数は、１．６４４×１０−２２Ｊｍです。
ｃ．磁気の引力定数の引力は何個の電子のラブによってできたか。
１個の電子が１秒間に作る磁気の引力は７．６４３×１０−３０Ｊｍですから、１．６４４×１０−２２Ｊｍは、
１．６４４×１０−２２Ｊｍ÷（７．６４３×１０−３０Ｊｍ）＝２．１５×１０７個の電子のラブが作った。
この個数は、（１Ａに走る電子のラブの数）２×１個の電子が１秒間に作る磁気の引力＝（１．６７７×１０１８個）２×７．６４３×１０−３０＝２．１５×１０７個です。
【請求項１８】
１クーロンには何個の電子のラブが走っているか。１クーロンのエネルギーと、力と、磁気の引力と、電気の引力はいくらか。
▲１▼１クーロンには何個の電子のラブが走っているか。
１クーロンは１Ａ・１秒ですから、１Ａには１．６７７×１０１８個の電子のラブが走っている。
▲２▼１秒間にできるエネルギーはいくらか。
１秒間にできるエネルギーは、１．６７７×１０１８個×８×１０−１４Ｊ＝１．３４１６×１０５Ｊです。
１クーロンは何Ｎか。
１Ｊは３．３３３×１０−９Ｎですから、１．３４１６×１０５Ｊは、１．３４１６×１０５Ｊ×３．３３３×１０−９Ｎ＝４．４６６×１０−４Ｎです。
▲３▼１秒間にできる磁気の引力はいくらか。
１秒間にできる磁気の引力は、１．６７７×１０１８個×７．６４３×１０−３０Ｊｍ＝１．２８２×１０−１１Ｊｍです。
▲４▼１秒間にできる電気の引力はいくらか。
１秒間にできる電気の引力は、１．６７７×１０１８個×７．６４３×１０−２２Ｊｍ＝１．２８２×１０−３Ｊｍです。
【請求項１９】
１クーロンと１クーロンが１ｍ離れている間に働くエネルギーはいくらか。
この場合、磁気の引力はいくらか。これは何Ｎか。この場合、磁気の引力定数はいくらか。
磁気の引力定数の引力は何個の電子のラブによってできたか。１クーロンと１クーロンが１ｍ離れている、異なる電荷間に働く電気の引力はいくらか。これは何Ｎか。この場合、電気の引力定数はいくらか。電気の引力定数の引力は何個の電子のラブによってできたか
ａ．１クーロンと１クーロンが１ｍ離れている間のエネルギーはいくらか。
１ｃ１秒間にできるエネルギーは１．３４×１０５ですから、
（１．３４×１０５）２＝１．８×１０１０Ｊです。
ｂ．１クーロンと１クーロンが１ｍ離れている間に働く磁気の引力は、
（１．２７６×１０−１１Ｊｍ）２＝１．６２８×１０−２２Ｊｍです。
これは何Ｎか。
２本の導線の間にできる、Ｎの定数は磁気の引力の定数の１．２１７×１０１５倍ですから、
１．６２８×１０−２２Ｊｍ×１．２１７×１０１５倍＝２×１０−７Ｎです。
１クーロンと１クーロンが１ｍ離れている間に働く磁気の引力定数は、１．６２８×１０−２２Ｊｍです。
ｃ．この磁気の引力定数の引力は何個の電子のラブによってできたか。
１個の電子が１秒間に作る磁気の引力は７．６４３×１０−３０Ｊｍですから、１．６２８×１０−２２Ｊｍは、
１．６２８×１０−２２Ｊｍ÷（７．６４３×１０−３０Ｊｍ）＝２．１３×１０７個の電子のラブが作った。
この個数は、（１Ａに走る電子のラブの数）２×１個の電子が１秒間に作る磁気の引力＝（１．６７７×１０１８個）２×７．６４３×１０−３０＝２．１５×１０７個です。
ｄ．１クーロンと１クーロンが１ｍ離れている、異なる電荷間に働く電気の引力はいくらか。
１．６７７×１０１８個で１秒間にできる電気の引力は、１．６７７×１０１８個×７．６４３×１０−２２Ｊｍ＝１．２８２×１０−３Ｊｍですから、１クーロンと１クーロンの間１ｍに働く電気の引力は、
（１．２８２×１０−３Ｊｍ）２＝１．６４４×１０−６Ｊｍです。
これは何Ｎか。
２本の導線の間にできる、Ｎの定数は電気の引力の定数の０．１２１７倍ですから、
１．６４４×１０−６Ｊｍ×０．１２１７倍＝２×１０−７Ｎです。
異なる電荷１クーロンと１クーロンが１ｍ離れている、この間に働く電気の引力定数は、
１．６４４×１０−６Ｊｍです。
ｅ．電気の引力定数の引力は何個の電子のラブによってできたか。
１個の電子が１秒間に作る電気の引力は７．６４３×１０−２２Ｊｍですから、１．６４４×１０−６Ｊｍは、
１．６４４×１０−６Ｊｍ÷（７．６４３×１０−２２Ｊｍ）＝２．１５×１０１５個の電子のラブが作った。
この個数は、（１Ａに走る電子のラブの数）２×１個の電子が１秒間に作る電気の引力＝（１．６７７×１０１８個）２×７．６４３×１０−２２＝２．１５×１０１５個です。
【請求項２０】
１Ｎと１Ａと１クーロンの単位の関係について。
１Ａの１秒間のエネルギーは１クーロンで等しいです。
１Ｎは３．７５×１０２１個の電子でできる力です。１Ａは１．６７７×１０１８個でできる力です。１ｃは１．６７７×１０１８個でできる力です。
それで、１Ｎ／１Ａ＝３．７５×１０２１個÷（１．６７７×１０１８個）
１Ｎ／１ｃ＝３．７５×１０２１個÷（１．６７７×１０１８個）
１Ｎ＝３．７５×１０２１個÷（１．６７７×１０１８個）Ａ＝２．２３６×１０３Ａ
１Ａ＝１．６７７×１０１８個÷（３．７５×１０２１個）＝４．４７２×１０−４Ｎ
１Ｎは２．２３６×１０３Ａです。
１Ｎは２．２３６×１０３ｃです。
１Ａは４．４７２×１０−４Ｎです。
１ｃは４．４７２×１０−４Ｎです。
１Ｎと１Ｎの間が１ｍ離れている時、その間の磁気の引力定数は、８．２１４×１０−１６Ｊｍです。
１Ｎと１Ｎの間が１ｍ離れている時、その間の電気の引力定数は、８．２１４Ｊｍです。
１Ａと１Ａが１ｍ離れている間に働く磁気の引力定数は、１．６４４×１０−２２Ｊｍです。
１クーロンと１クーロンが１ｍ離れている間に働く磁気の引力定数は、１．６２８×１０−２２Ｊｍです。
異なる電荷１クーロンと１クーロンが１ｍ離れている、この間に働く電気の引力定数は、
１．６４４×１０−６Ｊｍです。
【請求項２１】
加速度とは何か。
加速度とは磁気の光子の軌道エネルギーの密度（濃度）です。
【請求項２２】
地球の重力による加速度はどのようになっているか。
地球でできた磁気の光子の軌道エネルギーは、地上より上に上がるほどその密度は小さくなる。それで、地上より上に上がるほど磁気の光子の数の密度が小さくなるので、磁気の光子の軌道エネルギーは小さくなり、引力は小さくなり、加速度は小さくなる。
地球に近づくほど、１ｍ２の磁気の光子の数は多くなる。それで、磁気の光子の数の密度は大きくなる。磁気の光子１個の軌道エネルギー（引力）は一定なので、磁気の光子の数の密度が大きいほど、磁気の光子の数×磁気の光子の軌道エネルギー（引力）は大きくなり、引力は大きくなり、加速度は大きくなる。
【請求項２３】
Ａの物体とＢの物体の加速度はどのようになっているか。
Ａの物体とＢの物体の間にできる磁気の光子の軌道エネルギー（引力）は、Ａの物体の電子の数×１０−３１Ｊｍ×Ｂの物質の電子の数×１０−３１Ｊｍであり、一定です。その密度は距離が大きくなると小さくなる。その密度は距離の２乗に反比例する。
【請求項２４】
加速度の式はどのような事を示しているか。
力＝加速度×質量。力＝重力の定数×質量÷距離２。この式により、加速度＝重力の定数÷距離２＝地球でできる磁気の光子の軌道エネルギー×１Ｋｇでできる磁気の光子の軌道エネルギー÷（地球の半径２×地上の距離２）であり、地上の距離が大きくなるほど、地球でできる磁気の光子の軌道エネルギーの密度（濃度）が小さくなる。（薄くなる。）
それで、加速度は小さくなる。この事によって、加速度は地球でできる磁気の光子の軌道エネルギーの密度（濃度）であると理解できる。この事によって、加速度は地球でできる磁気の光子の軌道エネルギーの密度（濃度）によってできると理解できる。
【請求項２５】
引力は、引力定数×質量Ａ×質量Ｂ÷距離２です。加速度は、引力定数÷距離２です。それで、加速度に質量は無関係になります。これは物体に働く慣性のためです。
物体に働く慣性の力とは何か。どれ位の引力か。その力の方向はどのようであるか。
物体の原子の電子の慣性の力は、電子のラブが自転し公転する力です。電子の慣性の引力は、１秒間に電子のラブが自転する軌道エネルギーです。
電子のラブが自転し公転する力は２×１０−２０Ｎです。
磁気の光子が自転する力も２×１０−２０Ｎです。（磁気の光子は１自転で１．２５×１０−１８ｍ１秒間に１０２４回転ですから、１．２５×１０−１８ｍ×３．１４×１０２４回転＝４×１０６ｍ走る。そして１秒間に８×１０−１４Ｊですから、８×１０−１４Ｊ÷（４×１０６ｍ）＝２×１０−２０Ｎです。）
電子のラブの慣性の引力は、１秒間に電子のラブが自転する軌道エネルギーですから、
自転軌道×１秒間の電子のラブのエネルギー＝１．２５×１０−１８ｍ×８×１０−１４Ｊ＝１０−３１Ｊｍです。
電子のラブの走る力の方向は、磁気の光子が走る力の方向と逆になる。
この電子のラブの力と引力と力の方向によって、加速度に質量は無関係になります。
【請求項２６】
加速度＝引力定数÷距離２です。
加速度に物体の質量は無関係となりますので、加速度＝引力定数÷距離２です。
例えば、１Ｋｇと１Ｋｇでは、引力定数は６．６７２×１０−１１Ｊｍですから、この加速度＝６．６７２×１０−１１Ｊｍ÷距離２です。
例えば、１Ｎと１Ｎでは、磁気の引力定数は８．２１４×１０−１６ｍですから、この加速度＝８．２１４×１０−１６Ｊｍ÷距離２です。
例えば、１Ａと１Ａでは、磁気の引力定数は１．６４４×１０−２２Ｊｍですから、この加速度＝１．６４４×１０−２２Ｊｍ÷距離２です。
例えば、１ｃと１ｃでは、磁気の引力定数は１．６２８×１０−２２Ｊｍですから、この加速度＝１．６２８×１０−２２Ｊｍ÷距離２です。
例えば異なる電荷の場合、１Ｎと１Ｎでは、電気の引力定数は８．２１４Ｊｍですから、この加速度＝８．２１４Ｊｍ÷距離２です。
例えば異なる電荷の場合、１ｃと１ｃでは、電気の引力定数は１．６４４×１０−６Ｊｍですから、
この加速度＝１．６４４×１０−６Ｊｍ÷距離２です。
【発明の詳細な説明】
【技術分野】
【０００１】  本発明は、物質の原子の電子の力と軌道と軌道のエネルギーと磁気の引力について。導線の自由電子の力と波長と波長のエネルギーと磁気の引力について。１Ｎについて。１Ａについて。１クーロンについて。加速度について。電子の慣性についてである。。
【背景技術】  物質の原子の電子の力は、秒速を４×１０６ｍとすると、２×１０−２０Ｎであり、導線の自由電子の力は、秒速を３×１０８ｍとすると、２．６６７×１０−２２Ｎである。物質の原子の電子の力と軌道と軌道のエネルギーと軌道×軌道のエネルギー（引力）の関係については理解した。しかし、導線の自由電子の力と波長と波長のエネルギーと波長×波長のエネルギー（引力）の関係については理解していない。
【発明の開示】
原子の電子のラブが作る引力は解ったが、導線を走る自由電子のラブが作る引力はどのように成っているのか。自由電子の力と波長はいくらか。
１電子が１秒間に作る力とエネルギーと引力の関係が、ＮとＪとＪｍの単位の関係になる。
力と軌道（波長）と軌道（波長）のエネルギーと引力の関係はどのようになっているか。
【発明が解決しようとする課題】
【０００３】１．原子の中における電子のラブの軌道と、導線を走る電子のラブの波長はどのように異なるか。
２．原子の電子のラブと電気の光子と磁気の光子の力と軌道と軌道のエネルギーと軌道エネルギーについて。
３．導線の中の自由電子のラブと電気の光子と磁気の光子の力と波長と波長のエネルギーと波長×波長のエネルギーについて。
４．自由電子のラブが作る電気の光子の軌道エネルギーと磁気の光子の軌道エネルギーは、原子の電子のラブが作る電気の光子の軌道エネルギーと磁気の光子の軌道エネルギーの何倍か。この理由は何か。
５．電子のラブの自転の力は磁気の光子に継承され、保存される。電子のラブの公転の力は電気の光子に継承され、保存される。
６．電子のラブの自転軌道×エネルギーは磁気の光子に継承され、保存される。電子のラブの公転軌道×エネルギーは電気の光子に継承され、保存される。
７．電子のラブの１秒間の自転エネルギーは、磁気の光子に継承され保存される。電子のラブの１秒間の公転エネルギーは、電気の光子に継承され保存される。
８．力とエネルギーと引力の統一について。
９．物体の場合。力とエネルギーと引力の単位の統一について。
１０．物体の場合。Ｋ個の電子のラブでできる力とエネルギーと磁気の引力と電気の引力はいくらか。
１１．物体の場合。１つの物体にＫ個の電子があり、他の物体にＬ個の電子がある。それらの物体がＭｍ離れている場合、その間にできるＮとＪと磁気の引力と電気の引力はどれ位か。この場合、力の定数、エネルギーの定数、磁気の引力の定数、電気の引力の定数はいくらか。この定数はそれぞれ何倍であるか。
１２．導線の場合。力とエネルギーと引力の単位の統一について。
１３．２本の導線の間にできる力、エネルギー、引力について。
１４．１Ｎには何個の電子のラブが走っているか。１Ｎのエネルギーと、磁気の引力と、電気の引力はいくらか。
１５．１Ｎと１Ｎの間が１ｍ離れている時、その間のエネルギーはいくらか。磁気の引力はいくらか。この場合、磁気の引力定数はいくらか。磁気の引力定数の引力は何個の電子のラブによってできたか。電気の引力はいくらか。電気の引力定数はいくらか。電気の引力定数の引力は何個の電子のラブによってできたか。
１６．１Ａの導線には何個の電子のラブが走っているか。４．４７２×１０−４Ｎのエネルギーと、磁気の引力はいくらか。
１７．１Ａと１Ａが１ｍ離れている間に働く磁気の引力はいくらか。これは何Ｎか。この場合、磁気の引力定数はいくらか。磁気の引力定数の引力は何個の電子のラブによってできたか。
１８．１クーロンには何個の電子のラブが走っているか。１クーロンのエネルギーと、力と、磁気の引力と、電気の引力はいくらか。
１９．１クーロンと１クーロンが１ｍ離れている間に働く磁気の引力はいくらか。これは何Ｎか。この場合、磁気の引力定数はいくらか。磁気の引力定数の引力は何個の電子のラブによってできたか。１クーロンと１クーロンが１ｍ離れている、異なる電荷間に働く電気の引力はいくらか。これは何Ｎか。この場合、電気の引力定数はいくらか。電気の引力定数の引力は何個の電子のラブによってできたか。
２０．１Ｎと１Ａと１クーロンの単位の関係について。
２１．加速度とは何か。
２２．地球の重力による加速度はどのようになっているか。
２３．Ａの物質とＢの物質の加速度はどのようになっているか。
２４．加速度の式はどのような事を表しているか。
２５．引力は、引力定数×質量Ａ×質量Ｂ÷距離２です。加速度は、引力定数÷距離２です。
それで、加速度に質量は無関係になります。これは物体に働く慣性のためです。物体に働く慣性の力とは何か。どれ位の引力か。その力の方向はどのようであるか。
２６．加速度＝引力定数÷距離２です。
【課題を解決するための手段】
【０００４】原子の電子のラブが自由電子になると、陽子や中性子の引力を受けないので、電子のラブの軌道は大きくなると考える。そして、１秒間にできるエネルギーと、１秒間の回転数は変わらないと考える。自由電子の力は、１秒間に３×１０８ｍ走るとすると、８×１０−１４Ｊ÷（３×１０８ｍ）＝２．６６７×１０−２２Ｎです。軌道のエネルギー＝３．１４×軌道（波長）×力です。波長＝３×１０８ｍ÷１０１６回÷３．１４＝０．９５５４×１０−８ｍです。
これらの事から問題を解決する。
【発明の実施態様】
【０００５】１．  原子の電子のラブの軌道と、導線を走る電子のラブの波長はどのように異なるか。
原子の電子のラブの軌道は１．２５×１０−１０ｍです。電子のラブが自由電子のラブになると、小さなエネルギーの場に出るので、又陽子や中性子の引力の束縛から解放されるので、電子のラブの軌道は大きくなる。それで、導線の中を走る時、波長は大きい。
１秒間の回転数は同じです。
２．  原子の電子のラブと電気の光子と磁気の光子の力と軌道と軌道のエネルギーと軌道エネルギーについて。
ａ原子の電子のラブと電気の光子と磁気の光子の力について。
原子の電子のラブの秒速を４×１０６ｍとしますと、電子のラブの力は、Ｎ＝８×１０−１４Ｊ÷（４×１０６ｍ）＝２×１０−２０Ｎです。
電気の光子の秒速は、３．１４×１．２５×１０−１０ｍ×１０１６回＝４×１０６ｍですから、電気の光子の力は、Ｎ＝８×１０−１４Ｊ÷（４×１０６ｍ）＝２×１０−２０Ｎです。
磁気の光子の秒速は、３．１４×１．２５×１０−１８ｍ×１０２４回＝４×１０６ｍですから、磁気の光子の力は、Ｎ＝８×１０−１４Ｊ÷（４×１０６ｍ）＝２×１０−２０Ｎです。
ｂ原子の電子のラブと電気の光子と磁気の光子の軌道について。
電子のラブと電気の光子の軌道は同じです。１．２５×１０−１０ｍです。
公転軌道×力＝１．２５×１０−１０ｍ×２×１０−２０Ｎ＝２．５４８×１０−３０Ｊです。
それで、
公転軌道＝２．５４８×１０−３０Ｊ÷力。
磁気の光子の軌道は、１．２５×１０−１８Ｊです。
自転軌道×力＝１．２５×１０−１８ｍ×２×１０−２０Ｎ＝２．５４８×１０−３８Ｊです。
それで、
自転軌道＝２．５４８×１０−３８Ｊ÷力。
ｃ原子の電子のラブと電気の光子と磁気の光子の軌道のエネルギーついて。
電子のラブの公転軌道のエネルギー＝３．１４×公転軌道×力＝３．１４×公転軌道×２×１０−２０Ｎ
電気の光子の公転軌道のエネルギー＝３．１４×公転軌道×力＝３．１４×公転軌道×２×１０−２０Ｎ
磁気の光子の自転軌道のエネルギー＝３．１４×自転軌道×力＝３．１４×自転軌道×２×１０−２０Ｎ
よって、
軌道のエネルギー＝３．１４×軌道×力＝３．１４×軌道×２×１０−２０Ｎ
ｄ原子の電子のラブと電気の光子と磁気の光子の軌道×軌道のエネルギー（＝軌道エネルギー＝引力）について。
軌道×軌道のエネルギー（引力）＝軌道×３．１４×軌道×力＝軌道２×３．１４×力
公転軌道＝２．５４８×１０−３０Ｊ÷力ですから、
公転軌道×公転軌道のエネルギー（１個の磁気の光子の引力）＝（２．５４８×１０−３０Ｊ÷力）２×３．１４×力＝２×１０−５９Ｊ÷力＝２×１０−５９Ｊ÷（２×１０−２０Ｎ）＝１０−３９Ｊｍ
この事から、
１個の電気の光子の引力＝２×１０−５９Ｊ÷力です。
１秒間にできる電気の引力＝２×１０−４３Ｊ÷力です。
自転軌道＝２．５４８×１０−３８Ｊ÷力ですから、
自転軌道×自転軌道のエネルギー＝（２．５４８×１０−３８Ｊ÷力）２×３．１４×力＝２×１０−７５Ｊ÷力＝２×１０−７５Ｊ÷（２×１０−２０Ｎ）＝１０−５５Ｊｍ
この事から、
１個の磁気の光子の引力＝２×１０−７５Ｊ÷力です。
１秒間にできる磁気の引力＝２×１０−５１Ｊ÷力です。
原子の中で、１秒間にできる軌道エネルギーは、
電子のラブの１秒間の軌道エネルギーは、１０−３９Ｊｍ×１０１６回＝１０−２３Ｊｍです。
電子のラブが１秒間に作る電気の光子の軌道エネルギーは、１０−３９Ｊｍ×１０１６回＝１０−２３Ｊｍです。
電子のラブが１秒間に作る磁気の光子の軌道エネルギーは、１０−５５Ｊｍ×１０２４回＝１０−３１Ｊｍです。
原子の電子のラブが作る光子の軌道エネルギーは一定です。この軌道エネルギーが引力になる。
３．  導線の中の自由電子のラブと電気の光子と磁気の光子の力と波長と波長のエネルギーと波長×波長のエネルギーについて。
ａ導線の中の、自由電子のラブと電気の光子と磁気の光子の力について。
導線の中で、電子のラブの秒速を３×１０８ｍとしますと、電子のラブの力は、Ｎ＝８×１０−１４Ｊ÷（３×１０８ｍ）＝２．６６７×１０−２２Ｎです。
電気の光子も秒速３×１０８ｍですから、電気の光子の力は、Ｎ＝８×１０−１４Ｊ÷（３×１０８ｍ）＝２．６６７×１０−２２Ｎです。
磁気の光子も秒速３×１０８ｍですから、磁気の光子の力は、Ｎ＝８×１０−１４Ｊ÷（３×１０８ｍ）＝２．６６７×１０−２２Ｎです。
ｂ導線の中の、自由電子のラブと電気の光子と磁気の光子の波長について。
電子のラブの波長は、３×１０８ｍ÷１０１６回転÷３．１４＝０．９５５４×１０−８ｍです。
電気の光子の波長は、３×１０８ｍ÷１０１６回転÷３．１４＝０．９５５４×１０−８ｍです。
自由電子のラブの波長×力＝０．９５５４×１０−８ｍ×２．６６７×１０−２２Ｎ＝２．５４８×１０−３０Ｊです。
電気の光子の波長×力＝０．９５５４×１０−８ｍ×２．６６７×１０−２２Ｎ＝２．５４８×１０−３０Ｊです。
磁気の光子の波長は、３×１０８ｍ÷１０８回転÷３．１４＝０．９５５４×１０−１６ｍです。
磁気の光子の波長×力＝０．９５５４×１０−１６ｍ×２．６６７×１０−２２Ｎ＝２．５４８×１０−３８Ｊです。
これは原子の中と同じです。
ｃ導線の中の、自由電子のラブと電気の光子と磁気の光子の波長のエネルギーについて。
自由電子のラブの１波長のエネルギー＝３．１４×波長×力＝３．１４×０．９５５４×１０−８ｍ×２．６６７×１０−２２Ｎ＝８×１０−３０Ｊ
電気の光子の１波長のエネルギー＝３．１４×波長×力＝３．１４×０．９５５４×１０−８ｍ×２．６６７×１０−２２Ｎ＝８×１０−３０Ｊ
磁気の光子の１波長のエネルギー＝３．１４×波長×力＝３．１４×０．９５５４×１０−１６ｍ×２．６６７×１０−２２Ｎ＝８×１０−３８Ｊ
これは原子の中と同じです。
ｄ導線の中の、自由電子のラブと電気の光子と磁気の光子の波長×波長のエネルギーについて。
波長×波長のエネルギー＝波長×３．１４×波長×力＝波長２×３．１４×力
自由電子のラブの波長＝２．５４８×１０−３０Ｊ÷力ですから、
自由電子のラブの波長×波長のエネルギー＝（２．５４８×１０−３０Ｊ÷力）２×３．１４×力＝２×１０−５９Ｊ÷（２．６６７×１０−２２Ｎ）＝７．６４３×１０−３８Ｊｍ
電気の光子の波長＝２．５４８×１０−３０Ｊ÷力ですから、
電気の光子の波長×波長のエネルギー（１個の電気の光子の引力）＝（２．５４８×１０−３０Ｊ÷力）２×３．１４×力＝２×１０−５９Ｊ÷力＝２×１０−５９Ｊ÷（２．６６７×１０−２２Ｎ）＝７．６４３×１０−３８Ｊｍ
この事から、
１波長の電気の光子の引力＝２×１０−５９Ｊ÷力です。
１秒間にできる電気の引力＝２×１０−４３Ｊ÷力です。
磁気の光子の波長＝２．５４８×１０−３８Ｊ÷力ですから、
磁気の光子の波長×波長のエネルギー（１個の磁気の光子の引力）＝（２．５４８×１０−３８Ｊ÷力）２×３．１４×力＝２×１０−７５Ｊ÷力＝２×１０−７５Ｊ÷（２．６６７×１０−２２Ｎ）＝７．６４３×１０−５４Ｊｍ
この事から、
１個の磁気の光子の引力＝２×１０−７５Ｊ÷力です。
１秒間にできる磁気の引力＝２×１０−５１Ｊ÷力です。
導線の中の、自由電子のラブの波長×エネルギーは、７．６４３×１０−３８Ｊｍです。
自由電子のラブが作る電気の光子の波長×エネルギー（１個の電気の光子の引力）は、７．６４３×１０−３８Ｊｍです。
自由電子のラブが作る磁気の光子の波長×エネルギー（１個の磁気の光子の引力）は、７．６４３×１０−５４Ｊｍです。
導線の中で、１秒間にできる波長×エネルギーは、
自由電子のラブの１秒間の波長×エネルギーは、７．６４３×１０−３８Ｊｍ×１０１６回＝７．６４３×１０−２２Ｊｍです。
自由電子のラブが１秒間に作る電気の光子の波長エネルギー（１秒間の電気の引力）は、７．６４３×１０−３８Ｊｍ×１０１６回＝７．６４３×１０−２２Ｊｍです。
自由電子のラブが１秒間に作る磁気の光子の波長エネルギー（１秒間の磁気の引力）は、７．６４３×１０−５４Ｊｍ×１０２４回＝７．６４３×１０−３０Ｊｍです。
この光子の軌道エネルギーが引力になる。
４．  自由電子のラブが作る電気の光子の軌道エネルギーと磁気の光子の軌道エネルギーは、原子の電子のラブが作る電気の光子の軌道エネルギーと磁気の光子の軌道エネルギーの何倍か。この理由は何か。
自由電子のラブが作る電気の光子の軌道エネルギーは、７．６４３×１０−３８Ｊｍです。
原子の電子のラブが作る電気の光子の軌道エネルギーは、１０−３９Ｊｍです。
自由電子のラブが作る電気の光子の軌道エネルギーは、原子の電子のラブが作る電気の光子の軌道エネルギーの、７．６４３×１０−３８Ｊｍ÷１０−３９Ｊｍ＝７６．４３倍です。
自由電子のラブが作る磁気の光子の軌道エネルギーは、７．６４３×１０−５４Ｊｍです。
原子の電子のラブが作る磁気の光子の軌道エネルギーは、１０−５５Ｊｍです。
自由電子のラブが作る磁気の光子の軌道エネルギーは、原子の電子のラブが作る磁気の光子の軌道エネルギーの、７．６４３×１０−５４Ｊｍ÷１０−５５Ｊｍ＝７６．４３倍です。
この光子の軌道エネルギーが引力を作る。
この理由は何か。
これは、原子の電子のラブの公転軌道が、伸びたためです。
１秒間に走る距離が、４×１０６ｍから３×１０８ｍになり、３×１０８ｍ÷（４×１０６ｍ）＝７５倍になったからです。
５．  電子のラブの自転の力は磁気の光子に継承され、保存される。電子のラブの公転の力は電気の光子に継承され、保存される。
原子の中の電子のラブの場合。
電子のラブの力＝電気の光子の力＝磁気の光子の力＝８×１０−１４Ｊ÷（４×１０６ｍ）＝２×１０−２０Ｎです。
電子のラブの力は２×１０−２０Ｎで、その力が磁気の光子の力となる。
電子のラブは２×１０−２０Ｎの力で１．２５×１０−１８ｍの自転をし、１秒間に１０２４回転する。
電子のラブの力が磁気の光子の力となる。磁気の光子は２×１０−２０Ｎの力で１．２５×１０−１８ｍの軌道を１秒間に１０２４回転する。
電子のラブの自転の力は磁気の光子の力として継承され、保存される。
電子のラブは２×１０−２０Ｎの力で１．２５×１０−１０ｍの公転をし、１秒間に１０１６回転する。
電子のラブの力が電気の光子の力となる。電気の光子は２×１０−２０Ｎの力で１．２５×１０−１０ｍの軌道を１秒間に１０１６回転する。
電子のラブの公転の力は電気の光子の力として継承され、保存される。
導線を走る、自由電子のラブの場合。
電子のラブの力＝電気の光子の力＝磁気の光子の力＝８×１０−１４Ｊ÷（３×１０８ｍ）＝２．６６７×１０−２２Ｎです。
導線の中で、自由電子のラブの力は２．６６７×１０−２２Ｎで、その力が磁気の光子の力になる。
自由電子のラブは２．６７７×１０−２２Ｎの力で０．９５５４×１０−１６ｍの自転をし、１秒間に１０２４回転する。
自由電子のラブの自転の力が磁気の光子の力となる。磁気の光子は２．６６７×１０−２２Ｎの力で０．９５５４×１０−１６ｍの軌道を１秒間に１０２４回転する。
自由電子のラブの自転の力は磁気の光子の力として継承され、保存される。
異なる電荷の場合。
自由電子のラブは２．６６７×１０−２２Ｎの力で０．９５５４×１０−８ｍの公転をし、１秒間に１０１６回転する。
自由電子のラブの公転の力が電気の光子の力となる。電気の光子は２．６６７×１０−２２Ｎの力で０．９５５４×１０−８ｍの軌道を１秒間に１０１６回転する。
自由電子のラブの公転の力は電気の光子の力として継承され、保存される。
６．  電子のラブの自転軌道×エネルギーは磁気の光子に継承され、保存される。電子のラブの公転軌道×エネルギーは電気の光子に継承され、保存される。
原子の中の電子のラブの場合。
原子の電子のラブの自転軌道×エネルギーは、磁気の光子の自転軌道×エネルギーとなり受け継がれ保存される。
電子のラブが１回自転する軌道は１．２５×１０−１８ｍで、そのエネルギーは８×１０−３８Ｊです。この自転軌道とそのエネルギーは磁気の光子に受け継がれ、保存される。
これは１回転の引力になる。１回転の引力は１０−５５Ｊｍです。
原子の電子のラブの自転は１秒間に１０２４回なので、磁気の光子も１秒間に１０２４回自転する。
電子のラブの１秒間の軌道エネルギーは、自転軌道×エネルギー×１秒間の自転回数で、これは、磁気の光子の自転軌道×エネルギー×１秒間の自転回数となり受け継がれ保存される。
これは１秒間の磁気の引力になる。１秒間の磁気の引力は１０−３１Ｊｍです。
導線を走る、自由電子のラブの場合。
自由電子のラブの自転軌道×エネルギーは、磁気の光子の自転軌道×エネルギーとなり受け継がれ保存される。
自由電子のラブが１回自転する軌道は０．９５５４×１０−１６ｍで、そのエネルギーは８×１０−３８Ｊです。この自転軌道とそのエネルギーは磁気の光子に受け継がれ、保存される。
これは１回転の磁気の引力になる。１回転の磁気の引力は７．６４３×１０−５４Ｊｍです。
自由電子のラブの自転は１秒間に１０２４回なので、磁気の光子も１秒間に１０２４回自転する。
自由電子のラブの１秒間の軌道エネルギーは、自転軌道×エネルギー×１秒間の自転回数で、これは、磁気の光子の自転軌道×エネルギー×１秒間の自転回数となり受け継がれ保存される。
これは１秒間の磁気の引力になる。１秒間の磁気の引力は７．６４３×１０−３０Ｊｍです。
異なる電荷の間では、自由電子のラブの公転軌道×エネルギーは、電気の光子の公転軌道×エネルギーとなり受け継がれ保存される。
自由電子のラブが１回公転する軌道は０．９５５４×１０−８ｍで、そのエネルギーは８×１０−３０Ｊです。この公転軌道とエネルギーは電気の光子に受け継がれ、保存される。
これは１回転の電気の引力になる。１回転の電気の引力は７．６４３×１０−３８Ｊｍです。
自由電子のラブの公転は１秒間に１０１６回なので、磁気の光子も１秒間に１０１６回公転する。
電子のラブの１秒間の軌道エネルギーは、公転軌道×エネルギー×１秒間の公転回数で、これは、磁気の光子の公転軌道×エネルギー×１秒間の公転回数となり受け継がれ保存される。
これは１秒間の電気の引力になる。１秒間の電気の引力は７．６４３×１０−２２Ｊｍです。
７．  電子のラブの１秒間の自転エネルギーは、磁気の光子に継承され保存される。電子のラブの１秒間の公転エネルギーは、電気の光子に継承され保存される。
電子のラブが２×１０−２０Ｎの力で１秒間自転することにより、８×１０−１４Ｊの磁気の光子のエネルギーができる。これは電子のラブの自転エネルギーを磁気の光子が受け継ぎ保存したからです。
電子のラブが２×１０−２０Ｎの力で１秒間公転することにより、８×１０−１４Ｊの電気の光子のエネルギーができる。これは電子のラブの公転エネルギーを電気の光子が受け継ぎ保存したからです。
８．  力とエネルギーと引力の統一について。
▲１▼力には電子のラブの力と磁気の光子の力と電気の光子の力がある。
▲２▼電子のラブの力は磁気の光子の力になり、電気の光子の力になる。
磁気の光子の力は磁力であり、電気の光子の力は電力です。
▲３▼物体の原子の中の電子のラブの場合。
電子のラブの力＝電気の光子の力＝磁気の光子の力＝８×１０−１４Ｊ÷（４×１０６ｍ）＝２×１０−２０Ｎです。
電子のラブの自転の力は、磁気の光子に受け継がれ、保存する。
電子のラブの公転の力は、電気の光子に受け継がれ、保存する。
導線を走る電子のラブの場合。
電子のラブの力＝電気の光子の力＝磁気の光子の力＝８×１０−１４Ｊ÷（３×１０８ｍ）＝２．６６７×１０−２２Ｎです。
自由電子のラブの自転の力は、磁気の光子に受け継がれ、保存する。
自由電子のラブの公転の力は、電気の光子に受け継がれ、保存する。
▲４▼この力により１秒間に８×１０−１４Ｊのエネルギーができる。
▲５▼電子のラブが自転することにより１秒間に８×１０−１４Ｊの磁気の光子のエネルギーができる。
これは、電子のラブの自転エネルギーを磁気の光子が受け継ぎ保存したからです。
電子のラブが公転する事により１秒間に８×１０−１４Ｊの電気の光子のエネルギーができる。
これは、電子のラブの公転エネルギーを磁気の光子が受け継ぎ保存したからです。
▲６▼引力には磁気の光子の力によってできる引力と、電気の光子の力によってできる引力がある。
▲７▼磁気の光子の力によってできる引力を磁気の引力、電気の光子の力によってできる引力を電気の引力と呼ぶ。電気の引力は異なる電荷間に働く。
▲８▼磁気の光子の軌道エネルギーが磁気の引力になる。電気の光子の軌道エネルギーが電気の引力になる。
▲９▼原子の電子のラブの場合。
１電子のラブが１秒間に作る磁気の光子の軌道エネルギーは、自転軌道×１自転でできる磁気の光子のエネルギー×１０２４回転＝１０−３１Ｊｍです。
電子のラブの１秒間の軌道エネルギーは、自転軌道×エネルギー×１秒間の自転回数で、これは、磁気の光子の自転軌道×エネルギー×１秒間の自転回数となり受け継がれ保存される。
導線の自由電子のラブの場合。
１自由電子のラブが１秒間に作る磁気の光子の軌道エネルギーは、自転軌道×１自転でできる磁気の光子のエネルギー×１０２４回転＝７．６４３×１０−３０Ｊｍです。
自由電子のラブの１秒間の軌道エネルギーは、自転軌道×エネルギー×１秒間の自転回数で、これは、磁気の光子の自転軌道×エネルギー×１秒間の自転回数となり受け継がれ保存される。
異なる電荷の場合。
１自由電子のラブが１秒間に作る電気の光子の軌道エネルギーは、公転軌道×１公転でできる電気の光子のエネルギー×１０１６回転＝７．６４３×１０−２２Ｊｍです。
異なる電荷の間では、自由電子のラブの１秒間の軌道エネルギーは、公転軌道×エネルギー×１秒間の公転回数で、これは、電気の光子の公転軌道×エネルギー×１秒間の公転回数となり受け継がれ保存される。
▲１０▼この磁気の光子の軌道エネルギーにより全ての磁気の引力はできる。この電気の光子の軌道エネルギーにより全ての電気の引力はできる。
▲１１▼物体で、１電子のラブが１秒間に作る磁気の引力は、１０−３１Ｊｍです。導線で、１自由電子のラブが１秒間に作る磁気の引力は、７．６４３×１０−３０Ｊｍです。
▲１２▼異符号の電荷による電気の引力は、１自由電子が１秒間に作る電気の引力は、７．６４３×１０−２２Ｊｍです。
９．  物体の場合。力とエネルギーと引力の単位の統一について。
物体の力とエネルギーと引力は電子が作る。又陽子が作る。今回は電子のみ記す。
力とエネルギーと引力の単位の関係は、１電子が作る力とエネルギーと引力の関係です。
１電子が作る力は２×１０−２０Ｎです。この力によって、エネルギーができる。
１電子が１秒間に作るエネルギーは８×１０−１４Ｊです。
１電子が１秒間に作る磁気の光子の軌道エネルギーは１０−３１Ｊｍ＝１０−３１Ｎｍ２です。
１電子が１秒間に作る電気の光子の軌道エネルギーは１０−２３Ｊｍ＝１０−２３Ｎｍ２です。
これによって、１Ｎと１Ｊと１Ｊｍの関係を求める。
▲１▼ＮとＪの関係は、
２×１０−２０Ｎ＝８×１０−１４Ｊですから、
１Ｎ＝８×１０−１４Ｊ÷（２×１０−２０）＝４×１０６Ｊです。
８×１０−１４Ｊ＝２×１０−２０Ｎですから、
１Ｊ＝２×１０−２０Ｎ÷（８×１０−１４）＝２．５×１０−７Ｎです。
▲２▼Ｊと磁気の引力Ｊｍの関係は、
８×１０−１４Ｊ＝１０−３１Ｊｍですから、
１Ｊ＝１０−３１Ｊｍ÷（８×１０−１４）＝１．２５×１０−１８Ｊｍです。
１０−３１Ｊｍ＝８×１０−１４Ｊですから、
１Ｊｍ＝８×１０−１４Ｊ÷１０−３１＝８×１０１７Ｊです。
▲３▼Ｎと磁気の引力Ｊｍの関係は、
２×１０−２０Ｎ＝１０−３１Ｊｍですから、
１Ｎ＝１０−３１Ｊｍ÷（２×１０−２０）＝５×１０−１２Ｊｍです。
１０−３１Ｊｍ＝２×１０−２０Ｎですから、
１Ｊｍ＝２×１０−２０Ｎ÷１０−３１＝２×１０１１Ｎです。
▲４▼Ｊと電気の引力Ｊｍの関係は、
８×１０−１４Ｊ＝１０−２３Ｊｍですから、
１Ｊ＝１０−２３Ｊｍ÷（８×１０−１４）＝１．２５×１０−１０Ｊｍです。
１０−２３Ｊｍ＝８×１０−１４Ｊですから、
１Ｊｍ＝８×１０−１４Ｊ÷１０−２３＝８×１０９Ｊです。
▲５▼Ｎと電気の引力Ｊｍの関係は、
２×１０−２０Ｎ＝１０−２３Ｊｍですから、
１Ｎ＝１０−２３Ｊｍ÷（２×１０−２０）＝５×１０−４Ｊｍです。
１０−２３Ｊｍ＝２×１０−２０Ｎですから、
１Ｊｍ＝２×１０−２０Ｎ÷１０−２３＝２×１０３Ｎです。
▲６▼電気の引力と磁気の引力の関係は、
電気の引力は磁気の引力の、１０−２３Ｊｍ÷１０−３１Ｊｍ＝１０８倍です。
１０．  物体の場合。Ｋ個の電子のラブでできる力とエネルギーと磁気の引力と電気の引力はいくらか。
Ｋ個の電子のラブでできる力は、Ｋ×２×１０−２０Ｎです。
Ｋ個の電子のラブでできるエネルギーは、Ｋ×８×１０−１４Ｊです。
Ｋ個の電子のラブでできる磁気の引力は、Ｋ×１０−３１Ｊｍ＝Ｋ×１０−３１Ｎｍ２です。
Ｋ個の電子のラブでできる電気の引力は、Ｋ×１０−２３Ｊｍ＝Ｋ×１０−２３Ｎｍ２です。
１１．  物体の場合。１つの物体にＫ個の電子があり、他の物体にＬ個の電子がある。それらの物体がＭｍ離れている場合、その間にできるＮとＪと磁気の引力と電気の引力はどれ位か。この場合、力の定数、エネルギーの定数、磁気の引力の定数、電気の引力の定数はいくらか。この定数はそれぞれ何倍であるか。
▲１▼Ｋ個の電子とＬ個の電子がＭｍ離れている場合、その間にできるＮとＪと磁気の引力と電気の引力はどれ位か。
Ｎ＝Ｋ個の電子でできるＮ×Ｌ個の電子ででできるＮ÷Ｍ２＝Ｋ×２×１０−２０Ｎ×Ｌ×２×１０−２０Ｎ÷Ｍ２＝（２×１０−２０）２Ｎ×Ｋ×Ｌ÷Ｍ２＝４×１０−４０Ｎ×Ｋ×Ｌ÷Ｍ２
Ｊ＝Ｋ個の電子でできるＪ×Ｌ個の電子ででできるＪ÷Ｍ２＝Ｋ×８×１０−１４Ｊ×Ｌ×８×１０−１４Ｊ÷Ｍ２＝（８×１０−１４）２Ｊ×Ｋ×Ｌ÷Ｍ２＝６．４×１０−２７Ｊ×Ｋ×Ｌ÷Ｍ２
磁気の引力＝Ｋ個の電子でできるＪｍ×Ｌ個の電子ででできるＪｍ÷Ｍ２＝Ｋ×１０−３１Ｊｍ×Ｌ×１０−３１Ｊ÷Ｍ２＝（１０−３１）２Ｊｍ×Ｋ×Ｌ÷Ｍ２＝１０−６２Ｊｍ×Ｋ×Ｌ÷Ｍ２
電気の引力＝Ｋ個の電子でできる電気引力のＪｍ×Ｌ個の電子ででできる電気の引力のＪｍ÷Ｍ２＝Ｋ×１０−２３Ｊｍ×Ｌ×１０−２３Ｊ÷Ｍ２＝（１０−２３）２Ｊｍ×Ｋ×Ｌ＋Ｍ２＝１０−４６Ｊｍ×Ｋ×Ｌ÷Ｍ２
▲２▼この場合、力の定数、エネルギーの定数、磁気の引力の定数、電気の引力の定数はいくらか。
力の定数は、４×１０−４０Ｎです。
エネルギーの定数は、６．４×１０２７Ｊです。
磁気の引力の定数は、１０−６２Ｊｍです。
電気の引力の定数は、１０−４６Ｊｍです。
▲３▼力の定数、エネルギーの定数、磁気の引力の定数、電気の引力の定数はそれぞれ何倍であるか。
Ｎの定数はＪの定数の何倍か。
４×１０−４０÷（６．４×１０−２７）＝６．２５×１０−１４倍です。
Ｊの定数はＮの定数の何倍か。
６．４×１０−２７÷（４×１０−４０）＝１．６×１０１３倍です。
Ｎの定数は磁気の引力の定数の何倍か。
４×１０−４０÷１０−６２＝４×１０２２倍です。
磁気の引力の定数はＮの定数の何倍か。
１０−６２÷（４×１０−４０）＝２．５×１０−２３倍です。
Ｎの定数は電気の引力の定数の何倍か。
４×１０−４０÷１０−４６＝４×１０６倍です。
電気の引力の定数はＮの定数の何倍か。
１０−４６÷（４×１０−４０）＝２．５×１０−７倍です。
Ｊの定数は磁気の引力の定数の何倍か。
６．４×１０−２７÷１０−６２＝６．４×１０３５倍です。
磁気の引力の定数はＪの定数の何倍か。
１０−６２÷（６．４×１０−２７）＝１．５６２５×１０−３６倍です。
Ｊの定数は電気の引力の定数の何倍か。
６．４×１０−２７÷１０−４６＝６．４×１０１９倍です。
電気の引力の定数はＪの定数の何倍か。
１０−４６÷（６．４×１０−２７）＝１．５６２５×１０−２０倍です。
磁気の引力の定数は電気の引力の定数の何倍か。
１０−６２÷１０−４６＝１０−１６倍です。
電気の引力の定数は磁気の引力の定数の何倍か。
１０−４６÷１０−６２＝１０１６倍です。
１２．  導線の場合。力とエネルギーと引力の単位の統一について。
導線の場合。力とエネルギーと引力は自由電子が作る。
導線の場合。力とエネルギーと引力の単位の関係は、自由電子１個が作る力とエネルギーと引力の関係です。
１自由電子が作る力は２．６６７×１０−２２Ｎです。この力によって、エネルギーができる。
１自由電子が１秒間に作るエネルギーは８×１０−１４Ｊです。
１自由電子が１秒間に作る磁気の光子の軌道エネルギーは７．６４３×１０−３０Ｊｍです。
１自由電子が１秒間に作る電気の光子の軌道エネルギーは７．６４３×１０−２２Ｊｍです。
これによって、１Ｎと１Ｊと１Ｊｍの関係を求める。
▲１▼ＮとＪの関係は、
２．６６７×１０−２２Ｎ＝８×１０−１４Ｊですから、
１Ｎ＝８×１０−１４Ｊ÷（２．６６７×１０−２２）＝３×１０８Ｊです。
１Ｊ＝１Ｎ÷（３×１０８）＝３．３３×１０−９Ｎです。
▲２▼Ｊと磁気の引力の関係は、
８×１０−１４Ｊ＝７．６４３×１０−３０Ｊｍですから、
１Ｊ＝７．６４３×１０−３０Ｊｍ÷（８×１０−１４）＝０．９５５４×１０−１６Ｊｍです。
１Ｊｍ＝１Ｊ÷（０．９５５４×１０−１６）＝１．０４７×１０１６Ｊ
▲３▼Ｎと磁気の引力の関係は、
２．６６７×１０−２２Ｎ＝７．６４３×１０−３０Ｊｍですから、
１Ｎ＝７．６４３×１０−３０Ｊｍ÷（２．６６７×１０−２２）＝２．８６６×１０−８Ｊｍです。
１Ｊｍ＝１Ｎ÷（２．８６６×１０−８）＝３．４９×１０７Ｎです。
▲４▼Ｊと電気の引力の関係は、
８×１０−１４Ｊ＝７．６４３×１０−２２Ｊｍですから、
１Ｊ＝７．６４３×１０−２２Ｊｍ÷（８×１０−１４）＝０．９５５４×１０−８Ｊｍです。
１Ｊｍ＝１Ｊ÷（０．９５５４×１０−８）＝１．０４７×１０８Ｊ
▲５▼Ｎと電気の引力の関係は、
２．６６７×１０−２２Ｎ＝７．６４３×１０−２２Ｊｍですから、
１Ｎ＝７．６４３×１０−２２Ｊｍ÷（２．６６７×１０−２２）＝２．８６６Ｊｍです。
１Ｊｍ＝１Ｎ÷２．８６６＝０．３４９Ｎです。
▲６▼電気の引力と磁気の引力の関係は、
電気の引力は、磁気の引力の７．６４３×１０−２２Ｊｍ÷（７．６４３×１０−３０Ｊｍ）＝１０８倍です。
１３．  ２本の導線の間にできる力、エネルギー、引力について。
１つの導線にＫ個の電子が走っていて、他方の導線にＬ個の電子が走っている。それらの導線がＭｍ離れている場合、その間にできるＮとＪと磁気の引力と電気の引力はどれ位か。
この場合、力の定数、エネルギーの定数、磁気の引力の定数、電気の引力の定数はいくらか。この定数はそれぞれ何倍であるか。
▲１▼１つの導線にＫ個の電子が走っていて、他方の導線にＬ個の電子が走っている。それらの導線がＭｍ離れている場合、その間にできるＮとＪと磁気の引力と電気の引力はどれ位か。
Ｎ＝Ｋ個の電子でできるＮ×Ｌ個の電子ででできるＮ÷Ｍ２＝Ｋ×２．６６７×１０−２２Ｎ×Ｌ×２．６６７×１０−２２Ｎ÷Ｍ２＝（２．６６７×１０−２２）２Ｎ×Ｋ×Ｌ÷Ｍ２＝７．１１×１０−４４Ｎ×Ｋ×Ｌ÷Ｍ２
Ｊ＝Ｋ個の電子でできるＪ×Ｌ個の電子ででできるＪ÷Ｍ２＝Ｋ×８×１０−１４Ｊ×Ｌ×８×１０−１４Ｊ÷Ｍ２＝（８×１０−１４）２Ｊ×Ｋ×Ｌ÷Ｍ２＝６．４×１０−２７Ｊ×Ｋ×Ｌ÷Ｍ２
磁気の引力＝Ｋ個の電子でできるＪｍ×Ｌ個の電子ででできるＪｍ÷Ｍ２＝Ｋ×７．６４３×１０−３０Ｊｍ×Ｌ×７．６４３×１０−３０Ｊ÷Ｍ２＝（７．６４３×１０−３０）２Ｊｍ×Ｋ×Ｌ÷Ｍ２＝５．８４×１０−５９Ｊｍ×Ｋ×Ｌ÷Ｍ２
電気の引力＝Ｋ個の電子でできる電気引力のＪｍ×Ｌ個の電子ででできる電気の引力のＪｍ÷Ｍ２＝Ｋ×７．６４３×１０−２２Ｊｍ×Ｌ×７．６４３×１０−２２Ｊ÷Ｍ２＝（７．６４３×１０−２２）２Ｊｍ×Ｋ×Ｌ÷Ｍ２＝５．８４×１０−４３Ｊｍ×Ｋ×Ｌ÷Ｍ２
▲２▼この場合、力の定数、エネルギーの定数、磁気の引力の定数、電気の引力の定数はいくらか。
力の定数は、７．１１×１０−４４Ｎです。
エネルギーの定数は、６．４×１０−２７Ｊです。
磁気の引力の定数は５．８４×１０−５９Ｊｍです。
電気の引力の定数は、５．８４×１０−４３Ｊｍです。
▲３▼力の定数、エネルギーの定数、磁気の引力の定数、電気の引力の定数はそれぞれ何倍であるか。
Ｎの定数はＪの定数の何倍か。
７．１１×１０−４４÷（６．４×１０−２７）＝１、１１×１０−１７倍です。
Ｊの定数はＮの定数の何倍か。
６．４×１０−２７÷（７．１１×１０−４４）＝９×１０１６倍です。
Ｎの定数は磁気の引力の定数の何倍か。
７．１１×１０−４４÷（５．８４×１０−５９）＝１．２１７×１０１５倍です。
磁気の引力の定数はＮの定数の何倍か。
５．８４×１０−５９÷（７．１１×１０−４４）＝７７×１０−１６倍です。
Ｎの定数は電気の引力の定数の何倍か。
７．１１×１０−４４÷（５．８４×１０−４３）＝０．１２１７倍です。
電気の引力の定数はＮの定数の何倍か。
５．８４×１０−４３÷（７．１１×１０−４４）＝７．７倍です。
Ｊの定数は磁気の引力の定数の何倍か。
６．４×１０−２７÷（５．８４×１０−５９）＝１．０９５×１０３２倍です。
磁気の引力の定数はＪの定数の何倍か。
５．８４×１０−５９÷（６．４×１０−２７）＝０．９１２５×１０−３２倍です。
Ｊの定数は電気の引力の定数の何倍か。
６．４×１０−２７÷（５．８４×１０−４３）＝１．０９５×１０１６倍です。
電気の引力定数はＪの定数の何倍か。
５．８４×１０−４３÷（６．４×１０−２７）＝０．９１２５×１０−１６倍です。
電気の引力定数は磁気の引力定数の何倍か。
５．８４×１０−４３÷（５．８４×１０−５９）＝１０１６倍です。
磁気の引力定数は電気の引力定数の何倍か。
５．８４×１０−５９÷（５．８４×１０−４３）＝１０−１６倍です。
まとめ。
2006204097.tif 000003
2006204097.tif 000004
１４．  １Ｎには何個の電子のラブが走っているか。１Ｎのエネルギーと、磁気の引力と、電気の引力はいくらか。図３
▲１▼１Ｎには何個の電子のラブが走っているか。
１電子のラブの力は、２．６６７×１０−２２Ｎですから、
１Ｎ÷（２．６６７×１０−２２Ｎ）＝３．７５×１０２１個
３．７５×１０２１個の電子のラブが走っている。
▲２▼３．７５×１０２１個の電子のラブでできるエネルギーはいくらか。
１電子のラブが１秒間に作るエネルギーは、８×１０−１４Ｊですから、
３．７５×１０２１個×８×１０−１４Ｊ＝３×１０８Ｊです。
▲３▼３．７５×１０２１個の電子のラブでできる磁気の引力はいくらか。
１電子のラブが１秒間に作る磁気の引力は、７．６４３×１０−３０Ｊｍですから、
３．７５×１０２１個×７．６４３×１０−３０Ｊｍ＝２．８６６×１０−８Ｊｍです。
▲４▼３．７５×１０２１個の電子のラブでできる電気の引力はいくらか。
１電子のラブが１秒間に作る電気の引力は、７．６４３×１０−２２Ｊｍですから、
３．７５×１０２１個×７．６４３×１０−２２Ｊｍ＝２．８６６Ｊｍです。
１５．  １Ｎと１Ｎの間が１ｍ離れている時、その間のエネルギーはいくらか。磁気の引力はいくらか。この場合、磁気の引力定数はいくらか。磁気の引力定数の引力は何個の電子のラブによってできたか。電気の引力はいくらか。電気の引力定数はいくらか。電気の引力定数の引力は何個の電子のラブによってできたか。図３
ａ．１Ｎと１Ｎの間が１ｍ離れている時、その間のエネルギーはいくらか。
１Ｎ＝３×１０８Ｊですから、
（１Ｎ）２＝（３×１０８Ｊ）２＝９×１０１６Ｊです。
ｂ．１Ｎと１Ｎの間が１ｍ離れている時、その間の磁気の引力はいくらか。
磁気の引力は、１Ｎ＝２．８６６×１０−８Ｊｍですから、
（１Ｎ）２＝（２．８６６×１０−８Ｊｍ）２＝８．２１４×１０−１６Ｊｍです。
１Ｎと１Ｎの間が１ｍ離れている時、その間の磁気の引力定数はいくらか。
磁気の引力定数は、８．２１４×１０−１６Ｊｍです。
ｃ．磁気の引力定数の引力は何個の電子のラブによってできたか。
１個の電子が１秒間に作る磁気の引力は７．６４３×１０−３０Ｊｍですから、８．２１４×１０−１６Ｊｍは、
８．２１４×１０−１６Ｊｍ÷（７．６４３×１０−３０Ｊｍ）＝１×１０１４個の電子のラブが作った。
この個数は、（１Ｎに走る電子のラブの数）２×１個の電子が１秒間に作る磁気の引力＝（３．７５×１０２１個）２×７．６４３×１０−３０＝１×１０１４個です。
ｄ．１Ｎと１Ｎの間が１ｍ離れている時、異なる電荷の間に働く電気の引力はいくらか。
電気の引力は、１Ｎ＝２．８６６Ｊｍですから、
（１Ｎ）２＝（２．８６６Ｊｍ）２＝８．２１４Ｊｍです。
１Ｎと１Ｎの間が１ｍ離れている時、その間の電気の引力定数はいくらか。
電気の引力定数は、８．２１４Ｊｍです。
ｅ．電気の引力定数の引力は何個の電子のラブによってできたか。
１個の電子が１秒間に作る電気の引力は７．６４３×１０−２２Ｊｍですから、８．２１４Ｊｍは、
８．２１４Ｊｍ÷（７．６４３×１０−２２Ｊｍ）＝１．０７４×１０２２個の電子のラブが作った。
この個数は、（１Ｎに走る電子のラブの数）２×１個の電子が１秒間に作る電気の引力＝（３．７５×１０２１個）２×７．６４３×１０−２２＝１．０７４×１０２２個です。
１６．  １Ａの導線には何個の電子のラブが走っているか。４．４７２×１０−４Ｎのエネルギーと、磁気の引力はいくらか。図４
▲１▼１Ａには何個の電子のラブが走っているか。
１Ａの導線には、（２×１０−７Ｎ）−１／２＝４．４７２×１０−４Ｎの力がある。
これは、何個の電子のラブの力か。
４．４７２×１０−４Ｎ÷（２．６６７×１０−２２Ｎ）＝１．６７７×１０１８個
１Ａの導線には１．６７７×１０１８個の電子のラブが走っている。
▲２▼４．４７２×１０−４Ｎのエネルギーはいくらか。
１Ｎ＝３×１０８Ｊですから、
４．４７２×１０−４Ｎ×３×１０８Ｊ＝１．３４１６×１０５Ｊです。
４．４７２×１０−４Ｎの磁気の引力はいくらか。
▲３▼磁気の引力は、１Ｎ＝２．８６６×１０−８Ｊｍですから、
４．４７２×１０−４Ｎ×２．８６６×１０−８Ｊｍ＝１．２８２×１０−１１Ｊｍです。
１７．  １Ａと１Ａが１ｍ離れている間に働くエネルギーはいくらか。この場合、磁気の引力はいくらか。これは何Ｎか。この場合、磁気の引力定数はいくらか。磁気の引力定数の引力は何個の電子のラブによってできたか。図４
ａ．１Ａと１Ａが１ｍ離れているとき、その間のエネルギーはいくらか。
４．４７２×１０−４Ｎ＝１．３４１６×１０５Ｊですから、
（１．３４１６×１０５Ｊ）２＝１．８×１０１０Ｊです。
ｂ．１Ａと１Ａが１ｍ離れている間に働く磁気の引力は、
１Ａでできる磁気の引力は、１．２８２×１０−１１Ｊｍですから、
（１．２８２×１０−１１Ｊｍ）２＝１．６４４×１０−２２Ｊｍです。
これは何Ｎか。
力の定数は磁気の引力の定数の１．２１７×１０１５倍ですから、
１．６４４×１０−２２×１．２１７×１０１５＝２×１０−７Ｎです。
１Ａと１Ａが１ｍ離れている間に働く磁気の引力定数は、１．６４４×１０−２２Ｊｍです。
ｃ．磁気の引力定数の引力は何個の電子のラブによってできたか。
１個の電子が１秒間に作る磁気の引力は７．６４３×１０−３０Ｊｍですから、１．６４４×１０−２２Ｊｍは、
１．６４４×１０−２２Ｊｍ÷（７．６４３×１０−３０Ｊｍ）＝２．１５×１０７個の電子のラブが作った。
この個数は、（１Ａに走る電子のラブの数）２×１個の電子が１秒間に作る磁気の引力＝（１．６７７×１０１８個）２×７．６４３×１０−３０＝２．１５×１０７個です。
１８．  １クーロンには何個の電子のラブが走っているか。１クーロンのエネルギーと、力と、磁気の引力と、電気の引力はいくらか。図５
▲１▼１クーロンには何個の電子のラブが走っているか。
１クーロンは１Ａ・１秒ですから、１Ａには１．６７７×１０１８個の電子のラブが走っている。
▲２▼１秒間にできるエネルギーはいくらか。
１秒間にできるエネルギーは、１．６７７×１０１８個×８×１０−１４Ｊ＝１．３４１６×１０５Ｊです。
１クーロンは何Ｎか。
１Ｊは３．３３３×１０−９Ｎですから、１．３４１６×１０５Ｊは、１．３４１６×１０５Ｊ×３．３３３×１０−９Ｎ＝４．４６６×１０−４Ｎです。
▲３▼１秒間にできる磁気の引力はいくらか。
１秒間にできる磁気の引力は、１．６７７×１０１８個×７．６４３×１０−３０Ｊｍ＝１．２８２×１０−１１Ｊｍです。
▲４▼１秒間にできる電気の引力はいくらか。
１秒間にできる電気の引力は、１．６７７×１０１８個×７．６４３×１０−２２Ｊｍ＝１．２８２×１０−３Ｊｍです。
１９．  １クーロンと１クーロンが１ｍ離れている間に働くエネルギーはいくらか。この場合、磁気の引力はいくらか。これは何Ｎか。この場合、磁気の引力定数はいくらか。磁気の引力定数の引力は何個の電子のラブによってできたか。１クーロンと１クーロンが１ｍ離れている、異なる電荷間に働く電気の引力はいくらか。これは何Ｎか。この場合、電気の引力定数はいくらか。電気の引力定数の引力は何個の電子のラブによってできたか。図５
ａ．１クーロンと１クーロンが１ｍ離れている間のエネルギーはいくらか。
１ｃ１秒間にできるエネルキーは１．３４×１０５ですから、
（１．３４×１０５）２＝１．８×１０１０Ｊです。
ｂ．１クーロンと１クーロンが１ｍ離れている間に働く磁気の引力は、
（１．２７６×１０−１１Ｊｍ）２＝１．６２８×１０−２２Ｊｍです。
これは何Ｎか。
２本の導線の間にできる、Ｎの定数は磁気の引力の定数の１．２１７×１０１５倍ですから、
１．６２８×１０−２２Ｊｍ×１．２１７×１０１５倍＝２×１０−７Ｎです。
１クーロンと１クーロンが１ｍ離れている間に働く磁気の引力定数は、１．６２８×１０−２２Ｊｍです。
ｃ．この磁気の引力定数の引力は何個の電子のラブによってできたか。
１個の電子が１秒間に作る磁気の引力は７．６４３×１０−３０Ｊｍですから、１．６２８×１０−２２Ｊｍは、
１．６２８×１０−２２Ｊｍ÷（７．６４３×１０−３０Ｊｍ）＝２．１３×１０７個の電子のラブが作った。
この個数は、（１Ａに走る電子のラブの数）２×１個の電子が１秒間に作る磁気の引力＝（１．６７７×１０１８個）２×７．６４３×１０−３０＝２．１５×１０７個です。
ｄ．１クーロンと１クーロンが１ｍ離れている、異なる電荷間に働く電気の引力はいくらか。
１．６７７×１０１８個で１秒間にできる電気の引力は、１．６７７×１０１８個×７．６４３×１０−２２Ｊｍ＝１．２８２×１０−３Ｊｍですから、１クーロンと１クーロンの間１ｍに働く電気の引力は、
（１．２８２×１０−３Ｊｍ）２＝１．６４４×１０−６Ｊｍです。
これは何Ｎか。
２本の導線の間にできる、Ｎの定数は電気の引力の定数の０．１２１７倍ですから、
１．６４４×１０−６Ｊｍ×０．１２１７倍＝２×１０−７Ｎです。
異なる電荷１クーロンと１クーロンが１ｍ離れている、この間に働く電気の引力定数は、
１．６４４×１０−６Ｊｍです。
ｅ．電気の引力定数の引力は何個の電子のラブによってできたか。
１個の電子が１秒間に作る電気の引力は７．６４３×１０−２２Ｊｍですから、１．６４４×１０−６Ｊｍは、
１．６４４×１０−６Ｊｍ÷（７．６４３×１０−２２Ｊｍ）＝２．１５×１０１５個の電子のラブが作った。
この個数は、（１Ａに走る電子のラブの数）２×１個の電子が１秒間に作る電気の引力＝（１．６７７×１０１８個）２×７．６４３×１０−２２＝２．１５×１０１５個です。
２０．  １Ｎと１Ａと１クーロンの単位の関係について。
１Ａの１秒間のエネルキーは１クーロンで等しいです。
１Ｎは３．７５×１０２１個の電子でできる力です。１Ａは１．６７７×１０１８個でできる力です。１ｃは１．６７７×１０１８個でできる力です。
それで、１Ｎ／１Ａ＝３．７５×１０２１個÷（１．６７７×１０１８個）
１Ｎ／１ｃ＝３．７５×１０２１個÷（１．６７７×１０１８個）
１Ｎ＝３．７５×１０２１個÷（１．６７７×１０１８個）Ａ＝２．２３６×１０３Ａ
１Ａ＝１．６７７×１０１８個÷（３．７５×１０２１個）＝４．４７２×１０−４Ｎ
１Ｎは２．２３６×１０３Ａです。
１Ｎは２．２３６×１０３ｃです。
１Ａは４．４７２×１０−４Ｎです。
１ｃは４．４７２×１０−４Ｎです。
１Ｎと１Ｎの間が１ｍ離れている時、その間の磁気の引力定数は、８．２１４×１０−１６Ｊｍです。
１Ｎと１Ｎの間が１ｍ離れている時、その間の電気の引力定数は、８．２１４Ｊｍです。
１Ａと１Ａが１ｍ離れている間に働く磁気の引力定数は、１．６４４×１０−２２Ｊｍです。
１クーロンと１クーロンが１ｍ離れている間に働く磁気の引力定数は、１．６２８×１０−２２Ｊｍです。
異なる電荷１クーロンと１クーロンが１ｍ離れている、この間に働く電気の引力定数は、
１．６４４×１０−６Ｊｍです。
まとめ
2006204097.tif 000005
2006204097.tif 000006
２１．  加速度とは何か。
加速度とは磁気の光子の軌道エネルギーの密度（濃度）です。
２２．  地球の重力による加速度はどのようになっているか。
地球でできた磁気の光子の軌道エネルギーは、地上より上に上がるほどその密度は小さくなる。それで、地上より上に上がるほど磁気の光子の数の密度が小さくなるので、磁気の光子の軌道エネルギーは小さくなり、引力は小さくなり、加速度は小さくなる。
地球に近づくほど、１ｍ２の磁気の光子の数は多くなる。それで、磁気の光子の数の密度は大きくなる。磁気の光子１個の軌道エネルギー（引力）は一定なので、磁気の光子の数の密度が大きいほど、磁気の光子の数×磁気の光子の軌道エネルギー（引力）は大きくなり、引力は大きくなり、加速度は大きくなる。
２３．  Ａの物体とＢの物体の加速度はどのようになっているか。図６
Ａの物体とＢの物体の間にできる磁気の光子の軌道エネルギー（引力）は、Ａの物体の電子の数×１０−３１Ｊｍ×Ｂの物質の電子の数×１０−３１Ｊｍであり、一定です。その密度は距離が大きくなると小さくなる。その密度は距離の２乗に反比例する。
２４．  加速度の式はどのような事を示しているか。図７
力＝加速度×質量。力＝重力の定数×質量÷距離２。この式により、加速度＝重力の定数÷距離２＝地球でできる磁気の光子の軌道エネルギー×１Ｋｇでできる磁気の光子の軌道エネルギー÷（地球の半径２×地上の距離２）  であり、地上の距離が大きくなるほど、地球でできる磁気の光子の軌道エネルギーの密度（濃度）が小さくなる。（薄くなる。）
それで、加速度は小さくなる。この事によって、加速度は地球でできる磁気の光子の軌道エネルギーの密度（濃度）であると理解できる。この事によって、加速度は地球でできる磁気の光子の軌道エネルギーの密度（濃度）によってできると理解できる。
２５．  引力は、引力定数×質量Ａ×質量Ｂ÷距離２です。加速度は、引力定数÷距離２です。それで、加速度に質量は無関係になります。これは物体に働く慣性のためです。物体に働く慣性の力とは何か。どれ位の引力か。その力の方向はどのようであるか。図８
物体の原子の電子の慣性の力は、電子のラブが自転し公転する力です。電子の慣性の引力は、１秒間に電子のラブが自転する軌道エネルギーです。
電子のラブが自転し公転する力は２×１０−２０Ｎです。
磁気の光子が自転する力も２×１０−２０Ｎです。（磁気の光子は１自転で１．２５×１０−１８ｍ１秒間に１０２４回転ですから、１．２５×１０−１８ｍ×３．１４×１０２４回転＝４×１０６ｍ走る。そして１秒間に８×１０−１４Ｊですから、８×１０−１４Ｊ÷（４×１０６ｍ）＝２×１０−２０Ｎです。）
電子のラブの慣性の引力は、１秒間に電子のラブが自転する軌道エネルギーですから、
自転軌道×１秒間の電子のラブのエネルギー＝１．２５×１０−１８ｍ×８×１０−１４Ｊ＝１０−３１Ｊｍです。
電子のラブの走る力の方向は、磁気の光子が走る力の方向と逆になる。
この電子のラブの力と引力と力の方向によって、加速度に質量は無関係になります。
２６．  加速度＝引力定数÷距離２です。
加速度に物体の質量は無関係となりますので、加速度＝引力定数÷距離２です。
例えば、１Ｋｇと１Ｋｇでは、引力定数は６．６７２×１０−１１Ｊｍですから、この加速度＝６．６７２×１０−１１Ｊｍ÷距離２です。
例えば、１Ｎと１Ｎでは、磁気の引力定数は８．２１４×１０−１６ｍですから、この加速度＝８．２１４×１０−１６Ｊｍ÷距離２です。
例えば、１Ａと１Ａでは、磁気の引力定数は１．６４４×１０−２２Ｊｍですから、この加速度＝１．６４４×１０−２２Ｊｍ÷距離２です。
例えば、１ｃと１ｃでは、磁気の引力定数は１．６２８×１０−２２Ｊｍですから、この加速度＝１．６２８×１０−２２Ｊｍ÷距離２です。
例えば異なる電荷の場合、１Ｎと１Ｎでは、電気の引力定数は８．２１４Ｊｍですから、この加速度＝８．２１４Ｊｍ÷距離２です。
例えば異なる電荷の場合、１ｃと１ｃでは、電気の引力定数は１．６４４×１０−６Ｊｍですから、この加速度＝１．６４４×１０−６Ｊｍ÷距離２です。
【発明の効果】
【０００６】次の事を理解できた。
１．力はエネルギーと同じように保存される事が解った。
２．電子のラブの自転の力は磁気の光子に受け継がれる。
３．電子のラブの公転の力は電気の光子に受け継がれる。
４．電子のラブの力により、自転軌道ができ、公転軌道ができる。
５．原子の電子のラブの力＝電気の光子の力＝磁気の光子の力＝２×１０−２０Ｎです。この力によって、１秒間に８×１０−１４Ｊのエネルギーができる。
６．電気の光子は２×１０−２０Ｎの力で、１秒間に８×１０−１４Ｊの電気の光子のエネルギーを作っている。
７．磁気の光子は２×１０−２０Ｎの力で、１秒間に８×１０−１４Ｊの磁気の光子のエネルギーを作っている。
８．電子のラブは２×１０−２０Ｎの力で、１．２５×１０−１０ｍの軌道を作っている。
９．電子のラブは２×１０−２０Ｎの力で、１０−５５Ｊｍの磁気の引力を作っている。１秒間に１０−３１Ｊｍの磁気の引力を作っている。
１０．導線の、自由電子のラブの力＝電気の光子の力＝磁気の光子の力＝２．６６７×１０−２２Ｎです。この力によって、１秒間に８×１０−１４Ｊのエネルギーができる。
１１．自由電子のラブは２．６６７×１０−２２Ｎの力で、２．６６７×１０−８ｍの波長を作っている。
１２．自由電子のラブは２．６６７×１０−２２Ｎの力で、７．６４３×１０−５４Ｊｍの磁気の引力を作っている。１秒間に７．６４３×１０−３０Ｊｍの磁気の引力を作っている。
１３．電気の光子は２．６６７×１０−２２Ｎの力で、１秒間に８×１０−１４Ｊの電気の光子のエネルギーを作っている。
１４．磁気の光子は２．６６７×１０−２２Ｎの力で、１秒間に８×１０−１４Ｊの磁気の光子のエネルギーを作っている。
１５．公転軌道（波長）×力＝２．５４８×１０−３０Ｊ。自転軌道×力＝２．５４８×１０−３８Ｊ。
１６．公転軌道（波長）のエネルギー＝３．１４×軌道×力。自転軌道のエネルギー＝３．１４×軌道×力。
１７．引力＝軌道×軌道のエネルギー＝軌道２×３．１４×力
１８．電気の引力＝公転軌道２×３．１４×力。
１９．電気の引力＝２×１０−５９Ｊｍ÷力。１秒間の電気の引力＝２×１０−４３Ｊｍ÷力。
２０．磁気の引力＝自転軌道２×３．１４×力。
２１．磁気の引力＝２×１０−７５Ｊｍ÷力。１秒間の磁気の引力＝２×１０−５１Ｊｍ÷力。
２２．導線で、自由電子のラブが作る軌道エネルギーは、原子の電子のラブが作る軌道エネルギーの７６．４３倍です。これは秒速が７５倍であるからです。
２３．物体の電子のラブの力とエネルギーと磁気の引力と電気の引力によって、その単位の関係が解った。
２４．その単位の２乗が２つの物体間の力の定数、エネルギーの定数、磁気の引力の定数、電気の引力の定数に成るので、その単位の関係が解った。
２５．導体の中の、自由電子のラブの力とエネルギーと磁気の引力と電気の引力によって、その単位の関係が解った。
２６．その単位の２乗が２つの物体間の力の定数、エネルギーの定数、磁気の引力の定数、電気の引力の定数に成るので、その単位の関係が解った。
２７．１Ｎについて、３．７５×１０２１個の自由電子のラブが走っていて、１秒間に３×１０８Ｊのエネルギーができ、２．８６６×１０−８Ｊｍの磁気の引力ができ、２．８６６Ｊｍの電気の引力ができる。
２８．１Ｎと１Ｎの間１ｍにできるエネルギーと磁気の引力を電気の引力が理解できた。
２９．１Ａについて、１．６７７×１０１８個の自由電子が走っていて、１秒間に１．３４×１０５Ｊのエネルギーができ、１．２８×１０１１Ｊｍの磁気の引力ができる。
３０．１Ａと１Ａの間１ｍにできるエネルギーと磁気の引力を理解できた。
３１．１クーロンについて、１．６７７×１０１８個の自由電子が走っていて、１秒間に１．３４×１０５Ｊのエネルギーができ、１．２８×１０−１１Ｊｍの磁気の引力ができ、１．２７６×１０−３Ｊｍの電気の引力ができる。
３２．１ｃと１ｃの間１ｍにできるエネルギーと磁気の引力と電気の引力を理解できた。
３３．加速度は磁気の光子の軌道エネルギーの密度であり、これは磁気の光子の数の密度です。
３４．加速度が物体の質量に無関係である理由は、原子の電子のラブが自転し公転する方向は、引力と成る磁気の光子や電気の光子の方向と逆であり、その力は等しく、その軌道エネルギー（引力）は等しいからです。
３５．加速度＝引力定数÷距離２です。それで、物体の加速度、１Ｎと１Ｎの加速度、１Ａと１Ａの加速度、１ｃと１ｃの加速度が理解できた。
【図面の簡単な説明】
【０００７】
【図１】原子の電子のラブの自転の力は磁気の光子の力になり継承され保存される。電子のラブの公転の力は電気の光子の力になり継承され保存される。電子のラブの自転するエネルギーは磁気の光子のエネルギーとなり伝承され保存される。電子のラブの公転するエネルギーは電気の光子のエネルギーとなり伝承され保存される。電子のラブの自転軌道×エネルギーは磁気の光子の軌道エネルギーとなり伝承され保存される。電子のラブの公転軌道×エネルギーは電気の光子の軌道エネルギーとなり伝承され保存される。電子のラブの力は２×１０−２０Ｎで、公転軌道は１．２５×１０−１０ｍで、電気の光子の１軌道のエネルギーは８×１０−３０Ｊです。これが電気の光子に伝承される。電子のラブの力は２×１０−２０Ｎで、自転軌道は１．２５×１０−１８ｍで、磁気の光子１個のエネルギーは８×１０−３８Ｊで、１公転に１０８個の磁気の光子がある。これが磁気の光子に伝承される。
【図２】導線の中で、自由電子のラブの力は２．６６７×１０−２２Ｎで、その力が磁気の光子の力になり、電気の光子の力になる。自由電子のラブは２．６７７×１０−２２Ｎの力で０．９５５４×１０−１６ｍの自転をし、その軌道のエネルギーは８×１０−３８Ｊなので、１自転で、７．６４３×１０−５４Ｊｍの磁気の引力を作る。自由電子のラブは２．６６７×１０−２２Ｎの力で０．９５５４×１０−８ｍの公転をし、その軌道のエネルギーは８×１０−３０Ｊなので、１公転で、７．６４３×１０−３８Ｊｍの電気の引力を作る。
【図３】１Ｎに走る自由電子の数は３．７５×１０２１個で、１秒間にできるエネルギーは３×１０８Ｊで、磁気の引力は２．８６６×１０−８Ｊｍで、電気の引力は２．８６６ｍです。１ｍ間に１秒間にできるエネルギーは９×１０１６Ｊで、磁気のエネルギーは８．２１４×１０−１６Ｊｍで、電気の引力は８．２１４Ｊｍです。磁気の引力定数は８．２１４×１０−１６Ｊｍで、加速度は８．２１４×１０−１６Ｊｍ÷距離２です。電気の引力定数は８．２１４Ｊｍで、加速度は８．２１４Ｊｍ÷距離２です。
【図４】１Ａに走る自由電子の数は１．６７７×１０１８個で、１秒間にできるエネルギーは１．３４１６×１０５Ｊで、磁気の引力は１．２８２×１０−１１Ｊｍです。１ｍ間に１秒間にできるエネルギーは１．８×１０−１０Ｊで、磁気のエネルギーは１．６４４×１０−２２Ｊｍです。磁気の引力定数は１．６４４×１０−２２Ｊｍで、加速度は１．６４４×１０−２２Ｊｍ÷距離２です
【図５】１ｃに走る自由電子の数は１．６７７×１０１８個で、１秒間にできるエネルギーは１．３４１６×１０５Ｊで、磁気の引力は１．２８２×１０−１１Ｊｍで、電気の引力は１．２７６×１０−３Ｊｍです。１ｍ間に１秒間にできるエネルギーは１．８×１０−１０Ｊで、磁気のエネルギーは１．６４４×１０−２２Ｊｍで、電気の引力は１．６４４×１０−６Ｊｍです。磁気の引力定数は１．６４４×１０−２２Ｊｍで、加速度は１．６４４×１０−２２Ｊｍ÷距離２です。電気の引力定数は１．６４４×１０−６Ｊｍで、加速度は１．６４４×１０−６Ｊｍ÷距離２です。
【図６】物体と物体との距離が大きくなるほど、磁気の光子の密度は小さくなる。
【図７】地上の距離が大きいほど、磁気の光子の密度は小さくなる。
【図８】電子のラブが走る方向は、電気の光子と磁気の光子の反対方向です。電子のラブと電気の光子と磁気の光子は、力とエネルギーと引力が等しい。電子のラブの力が慣性の力であり、落下のとき働く。
【符号の説明】
１  原子の電子のラブ
２  電子のラブの自転軌道
３  電子のラブの公転軌道
４  磁気の光子の軌道
５  磁気の光子１個の軌道
６  電気の光子の軌道
７  自由電子のラブ
８  波長
９  自由電子のラブの自転軌道
１０  １Ｎの導線と１Ｎの導線が１ｍ間隔で並ぶ
１１  １Ｎの導体と１Ｎの導体が１ｍ間隔で並ぶ
１２  １Ａの導線と１Ａの導線が１ｍ間隔で並ぶ
１３  １ｃの導体と１ｃの導体が１ｍ間隔で並ぶ
１４  物体
１５  地球
１６  地球の半径
１７  地上の距離
１８  電子のラブの回転方向
１９  電気の光子と磁気の光子の回転方向
【図１】
2006204097.tif 000007
【図２】
2006204097.tif 000008
【図３】
2006204097.tif 000009
【図４】
2006204097.tif 000010
【図５】
2006204097.tif 000011
【図６】
2006204097.tif 000012
【図７】
2006204097.tif 000013
【図８】
2006204097.tif 000014